(57)【特許請求の範囲】
【請求項１】
モバイルネットワークからワイヤレスサービスを受信するユーザ機器（ＵＥ）のために確立されたデータネットワーク接続を識別することと、
前記データネットワーク接続を可能にする第１のデータネットワークアクセスポイントに関連するローカルパケットゲートウェイの第１の識別子を参照することと、
前記モバイルネットワークに関連する第２のデータネットワークアクセスポイントに関連するローカルパケットゲートウェイの第２の識別子を取得することと、
前記第１の識別子が、前記第２の識別子に一致しない場合、前記データネットワーク接続の非アクティブ化を開始することと、
を備え、
前記第１の識別子及び前記第２の識別子は、それぞれ第１および第２のインターネットプロトコル（ＩＰ）アドレスを備え、前記非アクティブ化を開始することは、前記第１のＩＰアドレスと前記第２のＩＰアドレスとが同じでないことを条件とし、
前記第２の識別子を取得することは、
地理的またはトポロジー的に前記第２のデータネットワークアクセスポイントに最も近いローカルパケットゲートウェイを識別することを可能にする完全修飾ドメイン名（ＦＱＤＮ）に基づき、ドメイン名サーバクエリ（ＤＮＳクエリ）を実行することと、前記ＦＱＤＮは、前記第２のデータネットワークアクセスポイントの識別子または前記ＵＥの識別子に基づき、
前記ＤＮＳクエリに応答して前記第２の識別子を取得することと、を備える、
ワイヤレス通信の方法。
【請求項２】
地理的またはトポロジー的に前記モバイルネットワーク基地局に最も近いローカルパケットゲートウェイを識別することを可能にする完全修飾ドメイン名（ＦＱＤＮ）を形成することをさらに備える、請求項１記載の方法。
【請求項３】
前記第１の識別子と前記第２の識別子とを照合することは、前記モバイルネットワークに関連するローカルパケットゲートウェイに関連付けられたデータネットワークアクセスポイント識別子のリストを参照することと、前記第１のデータネットワークアクセスポイントの識別子が前記リスト中に含まれるかどうかを決定することと、をさらに備え、
前記リストは、前記ローカルパケットゲートウェイに関連する１つまたは複数のデータネットワークアクセスポイントについての、それぞれのモバイルネットワークトラッキングエリア、モバイルネットワークロケーションエリア、モバイルネットワークルーティングエリア、基地局識別子、または無線ネットワークコントローラ識別子、あるいはそれらの組合せを備える、請求項１記載の方法。
【請求項４】
前記第１の識別子が前記第２の識別子に一致しない場合、非アクティブ化要求を開始することと、前記非アクティブ化要求を前記ＵＥに送ることと、をさらに備える請求項１記載の方法。
【請求項５】
前記第１の識別子が前記第２の識別子に一致しない場合、非アクティブ化要求を開始することと、前記データネットワーク接続を管理するネットワークエンティティへ前記非アクティブ化要求を送ることと、をさらに備える、請求項１記載の方法。
【請求項６】
前記ＵＥが前記第２のデータネットワークアクセスポイントへのハンドオーバを行っているかまたは行ったと決定することと、前記ハンドオーバの結果として前記データネットワーク接続の非アクティブ化を開始することと、をさらに備える、請求項１記載の方法。
【請求項７】
前記第１のデータネットワークアクセスポイントにおける前記データネットワーク接続の再アクティブ化を前記ＵＥに要求させる再アクティブ化コマンドを前記ＵＥに転送することをさらに備える、請求項１記載の方法。
【請求項８】
前記データネットワーク接続をサポートするローカルパケットゲートウェイをリブートすること、
前記ローカルパケットゲートウェイと他のパケットゲートウェイと負荷分散すること、または、
前記ローカルデータネットワークゲートウェイのカバレージエリア外で前記ＵＥがトラベルしていること、
の結果として前記再アクティブ化コマンドを転送することをさらに備える、請求項７記載の方法。
【発明の詳細な説明】
【優先権の主張】
【０００１】
米国特許法第１１９条に基づく優先権の主張
本特許出願は、本出願の譲受人に譲渡され、参照により本明細書に明確に組み込まれる、２００９年１２月４日に出願された「MANAGING A PDN CONNECTION BASED ON USER LOCATION」と題する仮特許出願第６１／２６６，８９７号の優先権を主張する。
【技術分野】
【０００２】
以下の説明は、一般に、ワイヤレス通信に関し、より詳細には、有意なワイヤレス干渉を観測する端末のためのワイヤレス通信を可能にすることに関する。
【背景技術】
【０００３】
ワイヤレス通信システムは、ボイスコンテンツ、データコンテンツなど様々なタイプの通信コンテンツを与えるために広く展開されている。典型的なワイヤレス通信システムは、利用可能なシステムリソース（たとえば、帯域幅、送信電力、…）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）などの仕様、あるいはＥｖｏｌｕｔｉｏｎ  Ｄａｔａ
Ｏｐｔｉｍｉｚｅｄ（ＥＶ−ＤＯ）、その１つまたは複数のリビジョンなどのマルチキャリアワイヤレス仕様に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上での送信を介して１つまたは複数の基地局と通信することができる。順方向リンク（またはダウンリンク）は基地局からモバイルデバイスへの通信リンクをいい、逆方向リンク（またはアップリンク）はモバイルデバイスから基地局への通信リンクをいう。さらに、モバイルデバイスと基地局の間の通信は、単入力単出力（ＳＩＳＯ）システム、多入力単出力（ＭＩＳＯ）システム、多入力多出力（ＭＩＭＯ）システムなどを介して確立され得る。
【０００５】
従来のモバイル電話ネットワーク基地局を補うために、追加の基地局を展開して、よりロバストなワイヤレスカバレージをモバイルユニットに与え得る。たとえば、漸増キャパシティ増大、よりリッチなユーザ経験、および屋内カバレージのために、（たとえば、一般に、アクセスポイント基地局、ホームノードＢ、フェムトアクセスポイント、またはフェムトセルと呼ばれる）ワイヤレス中継局および小カバレージ基地局が展開され得る。一般に、そのような小カバレージ基地局は、ＤＳＬルータまたはケーブルモデムを介してインターネットおよびモバイル事業者のネットワークに接続される。これらの他のタイプの基地局は、従来の基地局（たとえば、マクロ基地局）と別の形で従来のモバイル電話ネットワーク（たとえば、バックホール）に加えられ得るので、これらの他のタイプの基地局およびそれらの関連するユーザ機器を管理するための効果的な技法が必要である。
【０００６】
モバイル通信の一態様は統合モバイルデータサービスである。最近、多くのモバイルデバイスおよびモバイル通信サービスプロバイダは、インターネットプロトコルまたは同様のデータネットワーク能力を組み込むように移行した。ユーザ機器（ＵＥ）の観点からは、データネットワークと通信することを可能にするいくつかの通信プロトコルとともにユーザアプリケーションが、ＵＥのハードウェア／ソフトウェア／ファームウェアに組み込まれた。ネットワークの観点からは、サービスプロバイダネットワークおよびコアネットワークが、ＵＥのためのパケットネットワーク接続を確立するためのインフラストラクチャとともに更新された。これらのＵＥに通信可能に結合された無線アクセスネットワークと、データネットワーク（たとえば、インターネット）におけるパケット接続との間の媒介として働くことによって、コアネットワークは、それぞれのＵＥにインターネットサービス（ならびにイントラネットサービス、または他のワイドエリアネットワークデータサービス）を配信することができる。より多くのユーザがデータネットワークベースのモバイルサービスのためのサブスクリプション（subscription）を保持するにつれて、これらのサービスはより有益になり、モバイルサービスプロバイダの側の将来のインフラストラクチャ改善の中心となる。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、本開示の１つまたは複数の態様のいくつかの概念を簡略化された形で提示することである。
【０００８】
本開示の様々な態様は、モバイル通信環境においてデータサービスを確立するための選択インターネットプロトコルトラフィックオフロード（ＳＩＰＴＯ：selected Internet Protocol traffic offload）を可能にする。いくつかの態様では、ＳＩＰＴＯトラフィックは、インターネットまたは同様のデータネットワークへのインターフェースを提供するローカルパケットゲートウェイ（本明細書ではローカルゲートウェイまたはＬ−ＧＷとも呼ぶローカルＰ−ＧＷ）のネットワークを介して可能にされ得る。少数の集中型ゲートウェイＧＰＲＳサポートノード（ＧＧＳＮ）またはパケットゲートウェイ（Ｐ−ＧＷ）の代わりに、ローカルパケットゲートウェイ（Ｌ−ＧＷ）は、ＧＧＳＮまたは集中型Ｐ−ＧＷと同様の機能を与えることができるが、パケットネットワークアクセスのための集中型ＧＧＳＮまたはＰ−ＧＷにローカルな代替を与えて、無線アクセスネットワーク全体にわたって展開され得る。さらに、ＳＩＰＴＯの適格性は、ユーザ機器（ＵＥ）毎であり得、たとえば、ＳＩＰＴＯ適格性を決定するために、ユーザ機器（ＵＥ）の記憶された加入者またはアカウント情報内のデータに依存する。特定の態様では、ＳＩＰＴＯの適格性はまた、パケットネットワークごとであるか、またはそれらの組合せに基づき得る。これは、所与のロケーションにおける所与のＵＥに対してＳＩＰＴＯが確立され得るかどうかを決定する際のフレキシビリティを可能にし、たとえば、ＵＥ能力、サブスクリプション（subscription）ステータス情報、データネットワーク能力、タリフレートなど、ならびに政府管轄の様々な法的要件に基づき得る。
【０００９】
本開示の他の態様では、ローカルＧＷにおけるパケットネットワーク接続の維持のための機構が提供される。ローカルＧＷによってサポートされる既存のパケット接続が分析され得、ローカルＧＷの識別子は、ＵＥをサービスしている現在のパケットネットワークまたはモバイルネットワークアクセスポイントの識別子と比較され得る。識別子が現在のサービングパケットネットワークゲートウェイの第２の識別子に一致しない場合、パケットネットワーク接続は終了され得る。オプションで、ＵＥがパケットサービスを終了していない場合、再アクティブ化コマンドがＵＥに転送され得る。同様に、ＵＥは、他の開示する態様では、再アクティブ化コマンドの受信、ハンドオーバの完了、または現在のパケットネットワークゲートウェイ識別子と前のパケットネットワークゲートウェイ識別子との比較などに基づいて再アクティブ化を要求することができる。したがって、セッションドロップまたはデータ損失を軽減しながら、様々なパケット接続を与えるために使用されるネットワークリソースが効率的な方法で保存され得る。
【００１０】
本開示の他の態様では、ワイヤレス通信のための方法が提供される。本方法は、モバイルネットワークに結合されたＵＥのためのデータネットワーク接続を確立したいという要求を受信することを備えることができる。さらに、本方法は、ＵＥに関係する記憶されたサブスクリプション情報のセットに基づいて、ローカルインターネットプロトコル（ＩＰ）トラフィックサービスがＵＥに対して許可されるかどうかを決定することを備えることができる。上記に加えて、本方法は、ローカルＩＰトラフィックサービスが許可される場合、データネットワーク接続を確立するために、ＵＥをサービスしているモバイルネットワークのセルまたはアクセスポイントに関連するローカルデータネットワークゲートウェイを識別することを備えることができる。
【００１１】
他の態様では、ワイヤレス通信のための装置が提供される。本装置は、インターネットプロトコル（ＩＰ）トラフィックをローカルパケットネットワークゲートウェイへオフロードすることを可能にする命令を記憶するためのメモリと、それらの命令を実装するためのモジュールを実行するデータプロセッサとを備えることができる。特に、モジュールは、ＩＰネットワークへの接続についての要求を識別し、その要求を始めたＵＥのサブスクリプション情報のセットを検索する受信モジュールを備えることができる。さらに、モジュールはまた、サブスクリプション情報を分析し、ＵＥがローカルＧＷサービスを利用することを許可されるかどうかを決定する解析モジュールを備えることができる。さらに、モジュールは、ＩＰネットワークへの接続を確立し、ＵＥにモバイルネットワークサービスを提供している基地局に関連するローカルＧＷを識別する参照モジュールをさらに備えることができる。
【００１２】
さらに別の態様では、ワイヤレス通信のための装置が開示される。本装置は、モバイルネットワークに結合されたＵＥのためのデータネットワーク接続を確立したいという要求を受信するための手段を備えることができる。その上、本装置は、ＵＥに関係する記憶されたサブスクリプション情報のセットに基づいて、ローカルインターネットプロトコル（ＩＰ）トラフィックサービスがＵＥに対して許可されるかどうかを決定するための手段を備えることができる。さらに、本装置は、ローカルＩＰトラフィックサービスが許可される場合、ＵＥをサービスしているモバイルネットワークのセルまたはアクセスポイントに関連するデータネットワーク接続を確立するためにローカルデータネットワークゲートウェイを識別するための手段を備えることができる。
【００１３】
１つまたは複数の追加の態様によれば、ワイヤレス通信のために構成された少なくとも１つのプロセッサが開示される。（１つまたは複数の）プロセッサは、モバイルネットワークに結合されたＵＥのためのデータネットワーク接続を確立する要求を受信する第１のモジュールを備えることができる。さらに、（１つまたは複数の）プロセッサは、ＵＥに関係する記憶されたサブスクリプション情報のセットに基づいて、ローカルインターネットプロトコル（ＩＰ）トラフィックサービスがＵＥに対して許可されるかどうかを決定する第２のモジュールを備えることができる。その上、（１つまたは複数の）プロセッサは、ローカルＩＰトラフィックサービスが許可される場合、ＵＥをサービスしているモバイルネットワークのセルまたはアクセスポイントに関連するデータネットワーク接続を確立するためにローカルデータネットワークゲートウェイを識別する第３のモジュールを備えることができる。
【００１４】
少なくとも１つの態様によれば、本開示は、コンピュータ可読媒体を備えるコンピュータプログラム製品を提供する。コンピュータ可読媒体は、コンピュータに、モバイルネットワークに結合されたＵＥのためのデータネットワーク接続を確立する要求を受信させるための第１のコードセットを備えることができる。さらに、コンピュータ可読媒体は、コンピュータに、ＵＥに関係する記憶されたサブスクリプション情報のセットに基づいて、ローカルインターネットプロトコル（ＩＰ）トラフィックサービスがＵＥに対して許可されるかどうかを決定させる第２のコードセットを備えることができる。さらに、コンピュータ可読媒体は、ローカルＩＰトラフィックサービスが許可される場合、コンピュータに、ＵＥをサービスしているモバイルネットワークのセルまたはアクセスポイントに関連するデータネットワーク接続を確立するためにローカルデータネットワークゲートウェイを識別させる第３のコードセットを備えることができる。
【００１５】
上記に加えて、本開示の特定の態様はワイヤレス通信の方法を提供する。本方法は、モバイルネットワーク基地局からワイヤレスサービスを受信するＵＥのために確立されたデータネットワーク接続を識別することを備えることができる。その上、本方法は、データネットワーク接続を可能にするデータネットワークアクセスポイントに関連する第１の識別子を参照することを備えることができる。さらに、本方法は、第１の識別子がモバイルネットワーク基地局に関連するデータネットワークアクセスポイントの第２の識別子に一致しない場合、データネットワーク接続の非アクティブにすることを備えることができる。
【００１６】
他の態様では、ワイヤレス通信のために構成された装置が開示される。本装置は、無線アクセスネットワーク（ＲＡＮ）に関連するアクティブデータネットワーク接続の管理および削除のために構成された命令を備えるメモリと、それらの命令を実装するためのモジュールを実行するデータプロセッサとを備えることができる。特に、モジュールは、ＲＡＮをサービスするローカルＧＷにおいて確立された接続を識別する維持モジュールを備えることができる。モジュールは、接続で識別されたＵＥが、ローカルＧＷのサービスエリア外にあるＲＡＮのワイヤレスノードにアクティブに結合される場合に接続の非アクティブ化を始める終了モジュールをさらに備えることができる。
【００１７】
さらに別の態様によれば、ワイヤレス通信のための装置が開示される。本装置は、ＲＡＮにデータネットワークサービスを提供するローカルＧＷにおけるパケット接続を識別するための手段を備えることができる。さらに、本装置は、接続で識別されたユーザ機器（ＵＥ）が、ローカルＧＷのサービスエリア外にあるＲＡＮのワイヤレスノードにアクティブに結合された場合に接続を終了するための手段を備えることができ、サービスエリアは、ＲＡＮのワイヤレスノードをローカルＧＷに関連づけるデータセットと、ＵＥの識別子またはワイヤレスノードの識別子を備えるドメイン名サーバクエリがローカルＧＷを返すワイヤレスノードのセットとのうちの少なくとも１つによって定義される。
【００１８】
１つまたは複数の追加の態様では、ワイヤレス通信のために構成された少なくとも１つのプロセッサが提供される。（１つまたは複数の）プロセッサは、ＲＡＮにデータネットワークサービスを提供するローカルＧＷにおけるパケット接続を識別する第１のモジュールを備えることができる。さらに、（１つまたは複数の）プロセッサは、接続で識別されたユーザ機器（ＵＥ）が、ローカルＧＷのサービスエリア外にあるＲＡＮのワイヤレスノードにアクティブに結合された場合に接続を終了する第２のモジュールを備えることができ、サービスエリアは、ＲＡＮのワイヤレスノードをローカルＧＷに関連付けるデータセットと、ＵＥの識別子またはワイヤレスノードの識別子を備えるドメイン名サーバクエリがローカルＧＷを返すワイヤレスノードのセットとのうちの少なくとも１つによって定義される。
【００１９】
少なくとも１つの他の態様では、本開示は、コンピュータ可読媒体を備えるコンピュータプログラム製品を提供する。コンピュータ可読媒体は、コンピュータに、ＲＡＮにデータネットワークサービスを提供するローカルＧＷにおけるパケット接続を識別させるための第１のコードセットを備えることができる。その上、コンピュータ可読媒体は、コンピュータに、接続で識別されたユーザ機器（ＵＥ）が、ローカルＧＷのサービスエリア外にあるＲＡＮのワイヤレスノードにアクティブに結合された場合に接続を終了させるための第２のコードセットを備えることができ、サービスエリアは、ＲＡＮのワイヤレスノードをローカルＧＷに関連付けるデータセットと、ＵＥの識別子またはワイヤレスノードの識別子を備えるドメイン名サーバクエリがローカルＧＷを返すワイヤレスノードのセットとのうちの少なくとも１つによって定義される。
【００２０】
上記に加えて、本開示はまた、ワイヤレス通信の方法を提供する。本方法は、ワイヤレスネットワークを介してデータネットワーク接続を確立することと、データネットワーク接続を非アクティブ化する要求を受信することとを備えることができる。さらに、本方法は、現在のサービングセルのセル識別子がデータネットワーク接続に関連する最近のセル識別子とは異なる場合、データネットワーク接続を再アクティブ化する要求を開始することを備えることができる。
【００２１】
１つまたは複数の特定の態様によれば、ワイヤレス通信のための装置が提供される。本装置は、モバイルアクセス環境においてパケットネットワーク接続を維持するように構成された命令を記憶するためのメモリと、それらの命令を実装するためのモジュールを実行するデータプロセッサとを備えることができる。特に、これらのモジュールは、ＳＩＰＴＯゲートウェイにおいて確立されたデータネットワーク接続を非アクティブ化するためのコマンドを受信する接続モジュールと、現在のサービングセルのセル識別子がデータネットワーク接続に関連する最近のセル識別子とは異なる場合、データネットワーク接続を再アクティブ化する要求を開始する継続モジュールとを備えることができる。
【００２２】
別の態様では、ワイヤレス通信のための装置が提供される。本装置は、ワイヤレスネットワークを介してデータネットワーク接続を確立するための手段と、データネットワーク接続を非アクティブ化する要求を受信するための手段とを備えることができる。さらに、本装置は、現在のサービングセルのセル識別子がデータネットワーク接続に関連する最近のセル識別子とは異なる場合、データネットワーク接続を再アクティブ化する要求を開始するための手段を備えることができる。
【００２３】
さらに他の開示する態様によれば、ワイヤレス通信のために構成された少なくとも１つのプロセッサが提供される。（１つまたは複数の）プロセッサは、ワイヤレスネットワークを介してデータネットワーク接続を確立する第１のモジュールと、データネットワーク接続を非アクティブ化したいという要求を受信する第２のモジュールとを備えることができる。上記に加えて、（１つまたは複数の）プロセッサは、現在のサービングセルのセル識別子がデータネットワーク接続に関連する最近のセル識別子とは異なる場合、データネットワーク接続を再アクティブ化する要求を開始する第３のモジュールを備えることができる。
【００２４】
少なくとも１つの追加の態様では、本開示は、コンピュータ可読媒体を備えるコンピュータプログラム製品を提供する。コンピュータ可読媒体は、コンピュータに、ワイヤレスネットワークを介してデータネットワーク接続を確立させるための第１のコードセットと、コンピュータに、ワイヤレスネットワークのエンティティから受信したデータネットワーク接続を非アクティブ化する要求を復号させる第２のコードセットとを備えることができる。さらに、コンピュータ可読媒体は、コンピュータに、現在のサービングセルのセル識別子がデータネットワーク接続に関連する最近のセル識別子とは異なる場合、データネットワーク接続を再アクティブ化する要求を開始させる第３のコードセットを備えることができる。
【００２５】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００２６】
【図１】いくつかの開示する態様における、選択インターネットプロトコルトラフィックオフロード（ＳＩＰＴＯ）を与える例示的な装置のブロック図。
【図２】代替的にローカルまたは中央インターネットプロトコルトラフィックを与える例示的なワイヤレス通信環境のブロック図。
【図３】いくつかの態様による、ローカルパケットゲートウェイの展開を備える例示的なワイヤレス環境のブロック図。
【図４】本開示の追加の態様による、ローカルパケット接続を管理するための例示的な装置のブロック図。
【図５】さらなる態様による、ＳＩＰＴＯ展開においてＩＰトラフィックを使用するための例示的なワイヤレス通信装置のブロック図。
【図６】ローカルパケットゲートウェイ（Ｐ−ＧＷ）展開においてパケット接続を維持するために構成された例示的なユーザ機器のブロック図。
【図７】１つまたは複数の態様による、モバイル通信においてＳＩＰＴＯを実装するための例示的な方法のフローチャート。
【図８】ユーザ機器ごとにまたはアクセスポイント名ごとにＳＩＰＴＯを与えるための例示的な方法のフローチャート。
【図８Ａ】ユーザ機器ごとにまたはアクセスポイント名ごとにＳＩＰＴＯを与えるための例示的な方法のフローチャート。
【図９】追加の態様における、ローカルパケットゲートウェイ展開のためのデータネットワーク接続を管理するための例示的な方法のフローチャート。
【図１０】本開示のさらなる態様における、モバイルネットワークにおいてパケット接続を利用するための例示的な方法のフローチャート。
【図１１】別の態様における、ローカルＧＷ展開のためのＳＩＰＴＯデータサービスのために構成された例示的な装置のブロック図。
【図１２】ローカルＧＷ展開のためのデータ接続を管理するために構成された例示的な装置のブロック図。
【図１３】本開示のさらに他の態様における、モバイル通信においてデータサービスを利用するための例示的な装置のブロック図。
【図１４】いくつかの開示する態様による、ワイヤレス通信を可能にする例示的なワイヤレス送信受信チェーンのブロック図。
【図１５】本開示の様々な態様を可能にするための例示的なワイヤレス通信環境のブロック図。
【図１６】ネットワーク環境内でアクセスポイント基地局の展開を可能にする例示的な通信システムを示す図。
【発明を実施するための形態】
【００２７】
次に、図面を参照しながら様々な態様について説明する。図面では、全体にわたって同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。他の例では、１つまたは複数の態様の説明を円滑にするために、よく知られている構造およびデバイスをブロック図の形態で示す。
【００２８】
さらに、本開示の様々な態様について以下で説明する。本明細書の教示は多種多様な形態で実施され得、本明細書で開示する特定の構造および／または機能は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置を実装し、および／または方法を実施することができる。さらに、本明細書に記載の態様のうちの１つまたは複数に加えて、あるいはそれら以外に、他の構造および／または機能を使用して装置を実装し、および／または方法を実施することができる。一例として、本明細書で説明する方法、デバイス、システムおよび装置の多くについて、特に、モバイル通信におけるデータサービスのために中央パケットゲートウェイ接続とローカルパケットゲートウェイ接続との間でアービトレーションすることに関して説明する。同様の技法が他の通信環境に適用され得ることを、当業者なら諒解されよう。
【００２９】
ワイヤレスネットワークインフラストラクチャおよびリソースが時間とともに改善し、モバイルデバイスの処理およびユーザインターフェース能力がより高度になるにつれ、ユーザは、以前はパーソナルコンピュータおよび固定回線通信でのみ利用可能であった機能を実行するためにモバイルデバイスを採用することが可能となった。高品質ボイス通信、インターネットアクセス、マルチメディアアクセスおよび再生、ならびにエンターテインメントのための小型ポータブルデバイスを採用する能力により、大いに望ましい消費者製品が得られる。これらのモバイルデバイス（たとえば、モバイル通信装置におけるユーザ機器［ＵＥ］）によって消費されるべきデータは無線アクセスネットワーク（ＲＡＮ）を介して無線で配信される。これらのＲＡＮは、マクロセルラーネットワーク展開などのプロバイダ展開インフラストラクチャ、ローカルエリアネットワークワイヤレスルータを含む加入者展開インフラストラクチャ、またはホームノードＢ（ＨＮＢ）、拡張ＨＮＢ（ＨｅＮＢ）、フェムトセルなどと呼ばれる加入者展開基地局をもつ従来のマクロ展開など、それらの組合せを備えることができる。
【００３０】
ワイヤレス通信ネットワークは、ボイスサービス、データサービス、または両方を提供することができる。ボイスサービスでは、従来のセルラーコアネットワークインフラストラクチャがリモート加入者間のアナログボイス通信を可能にする。また、ボイスオーバーインターネットプロトコル（ＶｏＩＰ）が、パケットデータネットワークのデジタル能力を活用して、デジタルボイス通信を提供する。それぞれのネットワーク間でのデータ伝搬のためのプロトコルを含むパケットゲートウェイ（Ｐ−ＧＷ）を通してセルラーネットワークをデジタルＩＰネットワークに結合することによって、ＶｏＩＰはセルラーネットワーク内で実施され得る。従来のＰ−ＧＷの例は、ゲートウェイＧＰＲＳ（汎用パケット無線サービス：general packet radio service）サポートノード、すなわちＧＧＳＮである。
【００３１】
ＧＧＳＮは、インターネットまたはＸ．２５ネットワークなどのパケットネットワークと、モバイル通信ネットワーク（たとえば、モバイル通信用汎用システム［ＧＳＭ（登録商標）：general system for mobile communication］、ユニバーサル移動通信システム［ＵＭＴＳ：universal mobile telecommunication system］、第３世代パートナーシッププロジェクトロングタームエボリューション［３ＧＰＰ  ＬＴＥ：third generation partnership project long term evolution］、広帯域符号分割多元接続［ＷＣＤＭＡ（登録商標）：wideband code division multiple access］など）との間のインターフェースを提供する比較的集中型のゲートウェイである。特にインターネットの場合、比較的少数のＧＧＳＮが存在し、しかも、これらは、様々なＲＡＮへの汎用パケット無線サービス（ＧＰＲＳ）ネットワークを通して極めて多数の加入者のためにサービスを提供するように構成された高度なエンティティである。これらのＧＧＳＮは、（しばしば、たとえば、所与の州、国、地域連合などのための）所与の地理的領域内でＵＥのためのモバイルとインターネットとのインターフェースとして働く。
【００３２】
アクティブデータサービス中のデバイスモビリティは、ＧＧＳＮにおいて記憶されたパケットベースデータ構造（たとえば、パケットデータプロトコルコンテキスト［ＰＤＰコンテキスト］、パケットデータネットワーク接続［ＰＤＮ接続］など）を用いて可能にされる。１つの例示的なデータ構造は、ＵＥのＩＰアドレスと、それの現在のサービングノードと、ＵＥのために確立された（１つまたは複数の）特定のトラフィックトンネルまたは（１つまたは複数の）データストリームに関係する他の情報とを記憶するＰＤＰコンテキストを備える。ＵＥが地理的に動き回り、異なるサービングノードによってサービスされるとき、データ構造は、現在のサービングノードを反映するために更新され、ＵＥへの適切なデータルーティングが可能になる。
【００３３】
従来のＧＧＳＮは比較的大きい集中型エンティティであるので、様々な政府が、ＧＧＳＮにおけるパケット接続に基づいて個人アクティビティを追跡する、法の執行のためのルールを確立した。したがって適用可能な管轄において、ＧＧＳＮは、機能の中でも、（たとえば、サービングノード識別子に基づいて）ＵＥ移動を記憶し、潜在的に、インターネット関連トラフィックに関する情報を記録するように構成される。また、ＧＧＳＮは、同様の機構によってＵＥを選択するためにインターネットサービスを拒否するように構成され得る。
【００３４】
比較的少ない数の集中型ＧＧＳＮが、所与の地理的領域のための、すべてではないとしても大部分のパケット関連モバイル通信トラフィックを処理するので、ＧＧＳＮは極めて高度で高価なエンティティである。典型的な問題は、このタイプの集中型展開によっても生じ得る。たとえば、ＧＧＳＮにおけるハードウェアまたはソフトウェア障害は、広い領域にわたる多数のユーザのためのパケットネットワーク接続性に影響を及ぼすことがある。そのようなデバイスのソフトウェアを単にリブートすることも極めて破壊的であり得る。さらに、集中型アーキテクチャは、データハッカー、ウェブパイレーツ（web pirate）などによって利用され得るネットワーク弱点を生じる。さらに、個々のサービスプロバイダは、ＧＧＳＮにおけるパケットサービスをカスタマイズする能力をほとんど有しないので、サービスの多様化のためにサポートインフラストラクチャを必要とする。
【００３５】
最近、集中型Ｐ−ＧＷアーキテクチャの非効率性の一部を低減するために、Ｐ−ＧＷのローカル展開のための提案がなされた。ローカルＧＷは、従来のＰ−ＧＷと同様の機能を有するが、安価なハードウェアを備え、その結果、ＲＡＮ全体にわたるこれらエンティティのコスト効率の高い複製が可能となる。さらに、ローカルＧＷは、サービスプロバイダによって従来のＰ−ＧＷよりも大きくカスタマイズされ得る。ローカルＧＷは、インターネットまたは他のパケットネットワークにリンクし、プロバイダ展開（provider-deployed）ｅノードＢ（または他の加入者展開(subscriber-deployed)ＲＡＮ基地局）、または加入者展開ＨｅＮＢ（など）基地局を含む、ＲＡＮ基地局のセットにパケットサービスを提供することができる。ローカルＧＷによってサービスされる基地局の数、ならびにトラフィック負荷、および（本明細書では、ローカルＧＷのカバレージアンブレラ（umbrella）と呼ぶ）その地理的またはトポロジー的カバレージエリアは、エンティティごとに変動し得る。
【００３６】
モバイル通信におけるパケットサービスのための従来型ＧＷとローカルＧＷとの共存に伴い、これらのＰ−ＧＷ間のアービトレーションが実装され得る。本開示の一態様では、このアービトレーション機構は、選択インターネットプロトコルトラフィックオフロード（ＳＩＰＴＯ）と呼ばれ、中央Ｐ−ＧＷからローカルＧＷへのパケットトラフィックのオフローディングを指す。これらの態様に加えて、中央ＧＷとローカルＧＷとの間のアービトレーションは、ＵＥごと、またはアクセスポイントネットワーク（ＡＰＮ）ごと、またはそれらの組合せで実装され得る。本明細書でより詳細に説明するように、中央Ｐ−ＧＷからローカルＧＷに特定のパケットネットワーク接続をオフロードするかどうかを決定するための様々な基準が確立され得る。例には、ＵＥサブスクリプションステータス、政府規制、ＡＰＮ能力、ネットワーク間タリフなどがある。
【００３７】
次に図を参照すると、図１は、ローカルＧＷまたはローカルＧＷの展開のためにＳＩＰＴＯを実装するための例示的なワイヤレスシステム１００のブロック図を示している。詳細には、ワイヤレスシステム１００は、モバイル通信ネットワークからパケットネットワーク接続についての要求１１０を受信するように構成されたＩＰトラフィックオフロード選択装置１０２を備える。要求１１０に応答して、ＩＰトラフィックオフロード選択装置１０２は、要求１１０が中央Ｐ−ＧＷにおいてサービスされるか、または利用可能な場合、ローカルＧＷにオフロードされ得るかを決定するように構成される。オプションで、ＩＰトラフィックオフロード選択装置１０２はまた、上記の決定が行われると、適切なＰ−ＧＷにパケットネットワークセットアップコマンド１１８を発行することができる。
【００３８】
ＩＰトラフィックオフロード選択装置１０２は、ＩＰトラフィックをローカルパケットネットワークゲートウェイにオフロードすることを可能にする命令を記憶するためのメモリ１０４と、それらの命令を実装するためのモジュールを実行するデータプロセッサ１０６とを備えることができる。詳細には、これらのモジュールは、パケットネットワーク（たとえば、インターネットなどのＩＰネットワーク）への接続についての要求を識別し、要求１１０を開始したＵＥのためのサブスクリプション情報のセットを検索する受信モジュール１０８を含むことができる。サブスクリプション情報は、ＵＥをサービスしているモバイルネットワークから（たとえば、ホームロケーションレジスタ［ＨＬＲ］、ビジターロケーションレジスタ［ＶＬＲ］、ホーム加入者サーバ［ＨＳＳ］などから）検索されるか、（たとえば、パケット接続についての前の要求１１０とサブスクリプション情報の検索とに応答して、サブスクリプション情報がメモリ１０４に記憶された場合）メモリ１０４から検索されるなどか、またはそれらの好適な組合せであり得る。
【００３９】
受信モジュール１０８は、要求１１０に関係するＵＥサブスクリプション情報を解析モジュール１１２に転送し、解析モジュール１１２は、サブスクリプション情報を分析し、ＵＥがローカルＧＷサービスを利用することを許可されるかどうかを決定する。この決定は、メモリ１０４に記憶されたＳＩＰＴＯルール１１４のセットに少なくとも部分的に基づき得る。一例では、ＳＩＰＴＯルール１１４は、ＵＥがローカルＧＷサービスを利用することを許可されるかどうかを決定するためのＵＥ固有基準を指定することができる。ＵＥ固有基準の例には、ＵＥのサブスクリプションがＳＩＰＴＯをサポートするかどうか、およびサブスクリプションのステータス、ＵＥサブスクリプションデータの一部として記憶されたＳＩＰＴＯ許容／禁止フラグのステータスなどがあり得る。別の例では、ＳＩＰＴＯルール１１４は、ＵＥがローカルＧＷサービスを利用することを許可されるかどうかを決定するためのＡＰＮ固有基準を指定することができる。ＡＰＮ固有基準の例には、ＵＥサブスクリプションデータの一部として記憶された所与のＡＰＮのためのＳＩＰＴＯ許容／禁止フラグのステータス、要求１１０から識別されるＡＰＮのサービス品質（ＱｏＳ）能力（たとえば、下記参照）などがあり得る。本開示の少なくとも１つの態様では、許可はＵＥ固有基準とＡＰＮ固有基準の組合せに基づき得る。
【００４０】
ＵＥがローカルＧＷサービスを利用することを許可されない場合、ＩＰトラフィックオフロード装置１０２は、オプションで、パケットネットワークセットアップコマンド１１８を発行し、それを代わりに従来のＰ−ＧＷ（たとえば、ＧＧＳＮ）に送ることができる。一方、ＵＥがローカルＧＷサービスを利用することを許可される場合、データプロセッサ１０６は、ＵＥにモバイルネットワークサービスを提供している基地局に関連し、ＩＰネットワークへの接続を確立するローカルＧＷを識別する参照モジュール１１６を実行することができる。
【００４１】
参照モジュール１１６は、複数の機構のうちの１つまたは複数に従ってローカルＧＷを識別することができる。たとえば、参照モジュール１１６は、ローカルＧＷの展開のそれぞれのローカルＧＷをモバイルネットワーク基地局のそれぞれのセットに関連付けるデータリストを採用し、そのデータリストによって、ＵＥにモバイルネットワークサービスを提供する基地局をそれに関連するローカルＧＷと相互参照させることができる。別の態様では、参照モジュール１１６は、関連するローカルＧＷの識別子（たとえば、ＩＰアドレス）を明示的または暗黙的に要求するクエリ（図示せず）を基地局に送ることができる。さらに他の態様では、参照モジュール１１６は、ドメインサーバが、地理的またはトポロジー的に基地局に最も近いローカルＧＷを返すことを可能にするフォーマットでドメイン名サーバ（ＤＮＳ）クエリを実行することができる。少なくとも１つの事例では、フォーマットは、たとえばＵＥの識別子または基地局の識別子を備えることができる。
【００４２】
ＩＰトラフィックオフロード選択装置１０２は通信ネットワーク内の様々な物理的ロケーションにおいて実装され得ることを諒解されたい。一例では、ＩＰトラフィックオフロード選択装置１０２は、パケットコアネットワークのサービングノードの一部として（たとえば、ＧＳＭ／ＥＤＧＥ［ＧＳＭ進化型高速データレート（enhanced data rate for GSM（登録商標） evolution）］ワイヤレスシステムにおけるサービングＧＰＲＳサポートノード［ＳＧＳＮ］、３ＧＰＰ  ＬＴＥワイヤレスシステムにおけるモビリティ管理エンティティ［ＭＭＥ］、または他のワイヤレスシステムにおける同様のエンティティの一部として）実装され得る。別の例では、ＩＰトラフィックオフロード選択装置１０２は、モバイルサービスプロバイダのネットワークとモバイルコアネットワークとの間のゲートウェイにおいて実装され得る。さらに別の例として、ＩＰトラフィックオフロード選択装置１０２は、ローカルＧＷか、ＧＧＳＮなどの従来のＰ−ＧＷかにかかわらず、Ｐ−ＧＷにおいて実装され得る。本開示の少なくとも１つの態様では、ＩＰトラフィックオフロード選択装置１０２は、複数の上記または同様のロケーションにわたって分散して実装され得る。
【００４３】
異なるＰ−ＧＷ間でアービトレーションを行うことによって、ワイヤレスシステム１００は、たとえば、従来のＰ−ＧＷとローカルＧＷの展開との間でトラフィックローディングを可能にすることができる。これは、たとえば、中央ＧＧＳＮにおいて行われるセルラー追跡を要求する政府規制に準拠するために重要であり得る。したがって、ＵＥがそのような追跡の対象となる場合、ワイヤレスシステムはＧＧＳＮにおいてパケット接続を確立することができ、これらの要件の対象とならない他のＵＥは、代わりにローカルＧＷにルーティングされ得る。さらに、ローカルＧＷをカスタマイズすることによって、異なるサービスプロバイダは、それら自体を他のサービスプロバイダと区別するために特殊パケットネットワークサービスを提供することができ、カスタマイズされたローカルＧＷのハードウェアまたはソフトウェア要件を満たすＵＥは、そのローカルＧＷにルーティングされ得、これらの要件を満たさないＵＥは他の場所にルーティングされるなどである。当業者には明らかであるように、他の利益および使用が、異なるＰ−ＧＷ間のアービトレーションから同様に導出され得る。これらの利益および使用は本開示の一部と見なされる。
【００４４】
図２に、本開示の特定の態様による、モバイル通信のためのＳＩＰＴＯを実装するのに好適な例示的なネットワーク環境１００のブロック図を示す。ネットワーク環境１００は、ワイヤレスリンクを介してサービングセル２０４に通信可能に結合されたＵＥ２０２を備えることができる。ＩＰネットワークサービスのために構成された場合、ＵＥ２０２は、インターネット２１８などのＩＰネットワークとの接続を確立する要求２０６を発行することができる。要求２０６は、サービングセル２０４において受信され、オフロード選択装置２０８に転送される。要求２０６の例には、パケットデータプロトコル（ＰＤＰ）コンテキストアクティブ化要求、パケットデータネットワーク（ＰＤＮ）接続性要求、または様々なワイヤレスネットワークシステムに好適な同様の要求があり得る。本開示の一態様では、オフロード選択装置２０８は、本開示はこの態様に限定されないが、上記の図１のＩＰトラフィックオフロード選択装置１０２に実質的に同様であり得る。
【００４５】
オフロード選択装置２０８は、要求２０６を受信し、その要求からＵＥ２０２の識別子を抽出するための受信モジュール２０８Ａを備えることができる。さらに、受信モジュール２０８Ａは、（たとえば、ＵＥ２０２に関連するＨＬＲ、サービングセル２０４に関連するＶＬＲ、またはＵＥ２０２のためのサブスクリプション情報を記憶する別の好適なネットワークエンティティから）ＵＥ２０２のＳＩＰＴＯ適格性に関係するサブスクリプション情報のセットを収集することができる。次いで、オフロード選択装置２０８は、サブスクリプション情報を分析し、ＵＥ２０２がＳＩＰＴＯサービスを利用することを許可されるかどうかを決定する解析モジュール２０８Ｂを実行することができる。
【００４６】
ＵＥ２０２がＳＩＰＴＯサービスを利用することを許可される場合、インターネット２１８への接続を確立するために、サービングセル２０４に関連するローカルＧＷ２１０を識別する参照モジュール２０８Ｃが使用される。一例では、参照モジュール２０８Ｃは、ローカルＧＷ２１０を識別するためにドメイン名サーバクエリ（ＤＮＳクエリ）を実行する。この例では、参照モジュール２０８Ｃは、ドメイン名サーバが、地理的またはトポロジー的にサービングセル２０４またはＵＥ２０２に最も近いローカルＧＷ２１０のＩＰアドレスを返すことを可能にする完全修飾ドメイン名（ＦＱＤＮ：fully qualified domain name）を作成する。本開示の少なくとも１つの態様では、ＦＱＤＮは、ＵＥの識別子または基地局の識別子に少なくとも部分的に基づく。この識別子は、たとえば、ドメイン名サーバが、地理的またはトポロジー的に最も近いローカルＧＷを検索するためにＤＮＳルックアップを実行することを可能にすることができる。
【００４７】
代替例では、参照モジュール２０８Ｃは、１つまたは複数のＩＰネットワークへのアクセスを与えるローカルＧＷインフラストラクチャと、１つまたは複数のモバイルネットワークの基地局インフラストラクチャとの間の関連付けのリストを記憶することができる。要求２０６を受信すると、参照モジュール２０８Ｃは、サービングセル２０４の識別子を抽出し、記憶されたリストに対して識別子を参照する。サービングセル２０４の識別子がローカルＧＷ２１０などのローカルＧＷと関連する場合、参照モジュール２０８Ｃは、ＵＥ２０２のためのパケットネットワーク接続を確立するために、この関連するローカルＧＷを検索する。したがって、この例では、参照モジュール２０８Ｃは、メモリからサービングセル２０４に関連する特定のＰ−ＧＷ識別子を取得することができる。別の例では、参照モジュール２０８Ｃは、サービングセル２０４においてメモリに記憶された、サービングセル２０４に関連する１つまたは複数のローカルＧＷを識別するための要求をサービングセル２０４に送ることができる。したがって、ＤＮＳクエリまたはローカルＧＷ関連付けの記憶されたリストが利用可能でないかまたは好適な結果を返さない場合、参照モジュール２０８Ｃは、パケット接続についての要求を転送した基地局から、指定されたＰ−ＧＷ識別子を取得することを試みることができる。
【００４８】
本開示の例示的な一態様では、受信モジュール２０８Ａによって取得されたサブスクリプション情報は、ローカルＧＷのリストと、そのリストのそれぞれのローカルＧＷに関連するそれぞれの許可／不許可フラグとを含む。許可／不許可フラグは、ＵＥ２０２がどのローカルＧＷを利用することを許可されるかと、ＵＥ２０２がどのローカルＧＷを利用することを許可されないかと、を示す。本態様によれば、解析モジュール２０８Ｂは、サブスクリプション情報から、ＵＥ２０２がアクセスすることを許可されるローカルＧＷのセットを抽出する。ＵＥ２０２が要求２０６に応答してローカルＧＷサービスを利用することを許可されるかどうかを決定するために、参照モジュール２０８Ｃから取得された（たとえば、ＤＮＳクエリの結果としてか、メモリから検索されたか、またはサービングセル２０４から検索された）ローカルＧＷの識別子を、解析モジュール２０８Ｂから取得されたローカルＧＷのセットと比較するアクセスモジュール２０８Ｄが使用される。
【００４９】
代替態様では、ＵＥ２０２に関係するサブスクリプション情報は、ＵＥ２０２が、ローカルＧＷを通してそれぞれのＩＰネットワークにアクセスすることを許容されるか禁止されるかを示すそれぞれのデータフラグ（たとえば、許可／不許可フラグ、許容／禁止フラグ、または他の好適な用語）に関連するＩＰネットワークアクセスポイント名（ＡＰＮ）のセットを含む。この場合、オフロード選択装置２０８は、サービングセル２０４によって与えられたか、ＤＮＳクエリに応答して返されたか、またはメモリから取得された特定のＡＰＮに関連する許容／禁止フラグのステータスに基づいて、ＵＥ２０２がＳＩＰＴＯを利用することができるかどうかを決定する。したがって、１つの特定の実装形態では、オフロード選択装置２０８は、解析モジュール２０８Ｂを実行し、要求２０６中に含まれるＡＰＮが、許容に設定された許容／禁止フラグに関連する場合、ＵＥ２０２がローカルＧＷサービスを利用することを許可されると決定する。本開示のさらなる態様によれば、それぞれのＩＰネットワークＡＰＮの許容／禁止フラグは、ＵＥ２０２のサブスクリプションステータス、ＵＥ２０２に対して定められた政府追跡要件、関連するローカルＧＷの無線ベアラ能力、関連するローカルＧＷの事業者によってタリフが課金されるかどうかまたはその額など、あるいはそれらの好適な組合せのうちの少なくとも１つに基づいて、ＵＥ２０２に関連するサービスプロバイダネットワーク（図示せず）によって更新され得る。
【００５０】
ＵＥ２０２がローカルＧＷアクセスに適格であると決定された場合、オフロード選択装置は、パケットネットワークセットアップコマンド２１０ＡをローカルＧＷ２１０に送る。セットアップコマンド２１０Ａを受信すると、ローカルＧＷ２１０は、ローカルＧＷ２１０においてインターネット２１８へのパケットコンテキスト／接続２１２（たとえば、ＰＤＰコンテキスト作成要求を介したＰＤＰコンテキスト、セッション作成要求を介したＰＤＮ接続など）を確立して、ＵＥ２０２とのインターネット通信を可能にする。そうではなく、ＵＥ２０２がローカルＧＷアクセスに不適格であると決定された場合、オフロード選択装置はパケットネットワークセットアップコマンド２１４Ａを中央Ｐ−ＧＷ２１４に送り、中央Ｐ−ＧＷ２１４は、中央Ｐ−ＧＷ２１４においてインターネット２１８へのパケットコンテキスト／接続２１６を確立する。
【００５１】
本開示の少なくとも１つの態様では、オフロード選択装置２０８は、トラフィックタイムアウトの満了時に、またはＵＥ２０２がローカルＧＷ２１０のサービス範囲外に移動したときに、パケットコンテキスト／接続２１２またはパケットコンテキスト／接続２１６の非アクティブ化を開始する終了モジュール２０８Ｅをさらに備えることができる。さらに、ローカルＧＷ２１０のこのサービス範囲は、明示的または暗黙的にローカルＧＷ２１０に関連する、基地局、トラッキングエリア、ルーティングエリア、ロケーションエリア、または無線アクセスコントローラ、またはモバイルＲＡＮに好適なサービスエリアの同様のプロキシのリストから決定され得る。代替的に、サービスエリアは、ＤＮＳクエリがローカルＧＷ２１０の識別子を返すセルのセットであると決定され得る。いずれの場合も、オフロード選択装置２０８が、ＵＥ２０２がローカルＧＷ２１０のサービスエリア外に移動したと決定したとき、ＵＥ２０２のために確立されたパケット接続／コンテキスト２１２は終了する（たとえば、ＰＤＰコンテキストについてのＰＤＰコンテキスト非アクティブ化要求、またはＰＤＮ接続についてのベアラ削除要求、または他の好適なコマンド）。この自動終了は、ローカルＧＷ２１０の効果的なリソース利用を可能にするのを助け、ローカルＧＷ２１０の負荷能力を向上させ、過剰電力消費を低減できる。
【００５２】
図３に、本開示のさらなる態様による例示的なモバイルネットワーキング環境３００のブロック図を示す。モバイルネットワーキング環境３００は、基地局サービングエリア３０２および関連するローカルＧＷ３０４、ならびに関連する他のローカルＧＷ３０８をもつ別の基地局サービングエリア３０６を備えることができる。ローカルＧＷ３０４およびローカルＧＷ３０８は、（たとえば、単一のモバイルネットワークサービスプロバイダ、インターネットサービスプロバイダ［ＩＳＰ］などによって確立された）共通のパケットゲートウェイ展開の一部であり得るか、または独立したパケットゲートウェイ展開に関連し得る。いずれの場合も、ローカルＧＷは、それぞれの基地局サービスエリア３０２および３０６に関連する。基地局サービスエリア３０２は、マクロ基地局３０２Ａと、マクロ基地局３０２Ｂと、マクロ基地局３０２Ｃと、マクロ基地局３０２Ｄとを含む、マクロ基地局タワーの計画展開を備える。一方、基地局サービスエリア３０６は、プロバイダ展開マクロ基地局３０６Ａおよびマイクロ基地局３０６Ｂ、ならびに加入者展開基地局３０６Ｃのセットを備える半計画展開である。
【００５３】
ローカルＧＷ３０４およびローカルＧＷ３０８は、モバイルコアネットワーク３１０の一部であり、さらに、インターネット３１２をローカルＧＷ３０４およびローカルＧＷ３０８にそれぞれ結合する破線によって示されるそれぞれのＩＰバックボーンを介して１つまたは複数のＩＰネットワーク３１２（たとえば、インターネットまたはプライベートイントラネット、Ｘ．２５ネットワーク、または他の好適なパケットベース通信ネットワーク）に通信可能に結合される。基地局サービングエリア３０２のマクロ基地局と、基地局サービングエリア３０６のマクロ基地局３０６Ａおよびマイクロ基地局３０６Ｂとを含むプロバイダ展開基地局は、モバイルコアネットワーク３１０（たとえば、ＧＳＭコアネットワーク、ＵＭＴＳコアネットワーク、３ＧＰＰ  ＬＴＥコアネットワークなど）とそれぞれの基地局との間の点線によって示されるバックホールリンクを介してモバイルコアネットワーク３１０に結合される。モバイルネットワーキング環境３００には単一のモバイルコアネットワーク３１０しか示されていないが、追加としてまたは代わりに、基地局３０２Ａ、３０２Ｂ、３０２Ｃ、３０２Ｄ、３０６Ａまたは３０６Ｂのうちの１つまたは複数は（図示されていない他のバックホールリンクを介して）１つまたは複数の他のモバイルコアネットワークに結合され得ることを諒解されたい。しかし、モバイルネットワーキング環境３００はモバイルコアネットワークの数またはタイプに限定されない。さらに、加入者展開基地局３０６Ｃは、１つまたは複数のブロードバンドＩＰリンクを介してインターネット３１２などの１つまたは複数のＩＰネットワークに結合される。
【００５４】
モバイルコアネットワーク３１０は、ＧＧＳＮ３１４を通してＩＰネットワーク３１２に通信可能に結合する。これは、モバイルコアネットワーク３１０が加入者展開基地局３０６Ｃと通信することを可能にし、また、モバイルコアネットワーク３１０が基地局サービスエリア３０２および基地局サービスエリア３０６のためのＩＰネットワーク３１２へのアクセスを可能にすることを可能にする。さらに、モバイルコアネットワーク３１０はまた、本明細書で説明するように、ローカルＧＷ３０４およびローカルＧＷ３０８を介したＩＰネットワーク３１２へのアクセスを可能にすることができる。ＧＧＳＮ３１４とローカルＧＷ３０４またはローカルＧＷ３０８と間の選択は、モバイルコアネットワーク３１０内で、ＧＧＳＮ３１４において、あるいは基地局サービスエリア３０２または基地局サービスエリア３０６のそれぞれの基地局において実装されるか、または別の好適な実装で行われ得る。少なくとも１つの態様では、ＧＧＳＮ３１４とローカルＧＷ３０４またはローカルＧＷ３０８との間の選択は、複数の上記の位置にわたって配信され得る。いずれの場合も、ＧＧＳＮ３１４とローカルＧＷとの間で選択するための基準はＵＥごとおよびＡＰＮごとに実装され得る。
【００５５】
本開示の様々な態様によれば、特定のＵＥに関係する加入者データが、ローカルＧＷ３０４またはローカルＧＷ３０８へのアクセスが許可されるかどうかを示すことができる。ＵＥおよびＡＰＮ許可は、加入者データ中で設定され、ＵＥまたはＡＰＮ許可の変更を反映するためにモバイルサービスプロバイダによって更新され得る。したがって、たとえば、政府職員が特定の加入者についてＵＥ追跡を要求する場合、ＡＰＮ許可は、特定の加入者によって利用されるＵＥに対して不許可に設定され得る。次いで、この加入者のためのＩＰネットワーク接続は、ローカルＧＷ３０４またはローカルＧＷ３０８を介してではなく、（たとえば、義務づけられた追跡ソフトウェアを有する）ＧＧＳＮ３１４を介して確立されるであろう。別の例として、モバイルサービスプロバイダが、たとえば、ＩＳＰによって所有されるローカルＧＷ展開とのタリフ契約を有しない場合、ローカルＧＷ展開に関連するローカルＧＷ（たとえば、ローカルＧＷ３０４）はすべてのＵＥに対して不許可に設定され得る。したがって、モバイルネットワーキング環境３００内で動作しているＵＥは、この例では、基地局サービスエリア３０６内でのみローカルＧＷにルーティングされることになる。さらに別の例では、特定の加入者が、ＡＰＮの１つのセットに対してはローカルＧＷサービスを認可するが、ＡＰＮの第２のセットに対しては認可しないサブスクリプションサービスを維持する場合、サブスクリプション情報は、ＡＰＮの１つのセットに関連するローカルＧＷ（たとえば、ローカルＧＷ３０８）に対して許可に設定され、ＡＰＮの第２のセットに関連するローカルＧＷ（たとえば、ローカルＧＷ３０４）に対して不許可に設定され得るなどである。当業者に知られているか、または本明細書に記載されたコンテキストを通して当業者に知らされる、他の例示的な実装形態は本開示の範囲内にあると見なされることを諒解されたい。
【００５６】
図４に、本開示のさらに他の態様による例示的なワイヤレスシステム４００のブロック図を示す。詳細には、ワイヤレスシステム４００は、１つまたは複数のローカルＧＷにおいて確立されたパケット接続を管理するように構成されたモビリティエンティティ４０２を備えることができる。パケット接続を管理することは、トラフィックタイムアウトについてそれぞれの接続を監視することと、タイムアウトしたかまたは場合によっては未使用の接続を終了することと、タイムアウトしていないかまたは未使用でない、あるいは好適な再アクティブ化基準を満たす終了されたパケット接続の再アクティブ化を始めることとを含むことができる。したがって、モビリティエンティティ４０２は、モバイルネットワークパケットサービスのために利用されるパケットゲートウェイの効率的なリソース利用を促進するための機構を与えることができる。
【００５７】
図示のように、ワイヤレスシステム４００は、ローカルＧＷ４０４と提携した（提携セル４１０と呼ばれる）モバイルセルにおいてＵＥ４０８のために確立されたパケット接続４０６を有するローカルＧＷ４０４を備えることができる。さらに、ワイヤレスシステム４００は、ローカルＧＷ４０４と提携していない（ローカルＧＷのサービスエリア外にあり、非提携セル４２２と呼ばれる）第２のモバイルセルを備えることができる。提携セル４１０および非提携セル４２２はモバイルコアネットワーク４３０に結合される。
【００５８】
モビリティエンティティ４０２は、ＲＡＮに関連するアクティブデータネットワーク接続の管理および削除のために構成された命令を記憶するためのメモリ４１４と、それらの命令を実装するモジュールを実行するためのデータプロセッサ４１６とを備えることができる。詳細には、モジュールは、（たとえば、提携セル４１０を備える）ＲＡＮをサービスするローカルＧＷ４０４における確立された接続、たとえば、パケット接続４０６を識別する維持モジュール４１８を備えることができる。さらに、モビリティエンティティ４０２は、パケット接続で識別されたＵＥ（たとえば、ＵＥ４０８）が、ローカルＧＷ４１０のサービスエリア外にあるＲＡＮのワイヤレスノードにアクティブに結合された場合にパケット接続４０６の非アクティブ化を開始する終了モジュール４２０を備えることができる。
【００５９】
本開示の特定の一態様では、維持モジュール４１８は、たとえば、ＵＥ４０８がアイドル状態から非提携セル４２２へのハンドオーバを行ったかまたは非提携セル４２２にアクセスしたと決定するか、あるいはモバイルコアネットワーク４３０からそのことの決定を受信する。この場合、維持モジュール４１８は、ＵＥ４０８のためのパケット接続が存在するかどうかを識別するために、ローカルＧＷ４０４（および、場合によっては、図示されていない、特定のＡＰＮに関連するか、特定のモバイルネットワークに関連するなどの、所与のローカルＧＷ展開内の図示されていない他のローカルＧＷ）を走査する。そのようなパケット接続が存在する場合、維持モジュール４１８は終了モジュール４２０にコマンドを送り、終了モジュール４２０はパケット接続４０６の非アクティブ化を開始する。
【００６０】
別の態様によれば、維持モジュール４１８は、パケット接続４０６の終了時にＵＥ４０８に再アクティブ化コマンドを転送する。維持モジュール４１８は、１つまたは複数の基準に基づいて再アクティブ化コマンドを転送するようにトリガされ得る。一例として、維持モジュール４１８は、ローカルＧＷ４０４のリブート、ローカルＧＷ４０４と（図示されていないローカルＧＷまたは中央Ｐ−ＧＷを含むことができる）１つまたは複数の他のＰ−ＧＷとの負荷分散、またはＵＥ４０８によるローカルＧＷ４０４のサービスエリア外の接続のアクティブ化、またはそれらの好適な組合せに応答して再アクティブ化コマンドを転送する。再アクティブ化コマンドは、パケット接続の非ＵＥ終了の結果として、ＵＥ４０８に、ローカルＧＷ４０６においてまたは非提携セル４２２を通してパケット接続４０６を再確立させるために採用され得る。これはセッション中断を低減し、ＵＥ４０８によって採用されるパケットベースサービスの全体的な信頼性を改善することができる。
【００６１】
様々な他の態様では、モビリティエンティティ４０２は、ワイヤレスノード（非提携セル４２２）がローカルＧＷ４０４のサービスエリア外にあるかどうかを決定するように構成された参照モジュール４２６をさらに備え得る。これは、いくつかの実装形態のうちの１つまたは複数において達成され得る。一実装形態では、参照モジュール４２６は、ＵＥ４０８についてのまたはワイヤレスノードについてのＤＮＳクエリを実行し、ＵＥ４０８にまたはワイヤレスノードに関連する現在のローカルＧＷを検索する。これは、たとえば、ドメイン名サーバが、地理的またはトポロジー的にワイヤレスノードに最も近い現在のローカルＧＷを返すことを可能にするＦＱＤＮに基づいて達成され得る。次いで、参照モジュール４２６は、ローカルＧＷ４０４の識別子を現在のローカルＧＷの第２の識別子と比較する。比較に基づいて、参照モジュール４２６は、識別子と第２の識別子が同じである場合、ワイヤレスノードはサービスエリア内にあると決定する。そのような場合、パケット接続４０６はモビリティエンティティ４０２によって終了されない。識別子と第２の識別子が同じでない場合、参照モジュールは、パケット接続４０６がローカルＧＷ４０４においてもはやアクティブではないと推論し、したがって、終了モジュール４２０はパケット接続４０６の終了を開始する。
【００６２】
代替または追加の実装形態では、参照モジュール４２６は、サービスエリア内のワイヤレスノードをローカルＧＷ４０４に関連付けるデータセットを収集する。この場合、参照モジュール４２６は、ＲＡＮのワイヤレスノードがローカルＧＷ４０４と関連するかどうかをチェックする。そうであれば、パケット接続４０６は維持される。そうでない場合、終了モジュール４２０は代わりにパケット接続４０６の非アクティブ化を開始する。
【００６３】
図５に、本開示の追加の態様による、モバイル動作環境においてＩＰネットワークサービスを可能にするための例示的なワイヤレス環境５００のブロック図を示す。ワイヤレス環境５００は、エアインターフェースを介して、ｅノードＢ、ノードＢ、ホームノードＢ（ＨＮＢ）、ホームｅノードＢ（ＨｅＮＢ）などのＲＡＮアクセスポイント５０４に通信可能に結合されたＵＥ５０２を備える。さらに、ＵＥ５０２は、ＲＡＮアクセスポイント５０４に関連するローカルＧＷ５０６によって維持されるパケットネットワーク接続を有することができる。
【００６４】
ＵＥ５０２は、選択されたＳＩＰＴＯゲートウェイ（たとえば、ローカルＧＷ５０６）において確立されたパケットネットワーク接続を非アクティブ化するためのコマンド５２２を受信する接続モジュール５１０を採用するパケット維持装置５０８を備えることができる。さらに、ＵＥ５０２は、現在のサービングセル（たとえば、ＲＡＮアクセスポイント５０４）のセル識別子が、パケットネットワーク接続に関連する直近のセル識別子とは異なる場合、パケットネットワーク接続を再アクティブ化したいという要求５２４を開始する継続モジュール５１４を実行することができる。したがって、ＲＡＮアクセスポイント５０４がパケットネットワーク接続を発生したアクセスポイントでないか、またはＵＥ５０２をサービスしている直近のアクセスポイントでない場合、継続モジュール５１４は、パケットネットワーク接続を再アクティブ化したいという要求５２４を自動的に開始することができる。さらに、本開示の一態様では、継続モジュール５１４は要求５２４を開始することができ、他の態様では、ＵＥ５０２上で動作しているアプリケーション５１８は、パケットネットワーク接続を再アクティブ化したいという内部要求５２０を開始することができ、内部要求５２０は継続モジュール５１４によってＲＡＮアクセスポイント５０４に転送される。少なくとも１つの他の態様では、接続モジュール５１０は、ＲＡＮアクセスポイント５０４またはローカルＧＷ５０６から明示的再アクティブ化コマンドを受信し、明示的再アクティブ化コマンドに応答して要求５２４を送るように継続モジュール５１４をトリガする。
【００６５】
本開示の特定の態様では、ＵＥ５０２は、アイドル状態からＲＡＮアクセスポイント５０４へのハンドオーバまたはアクティブリンクを検出するモビリティモジュール５１２を備えることができる。この場合、非アクティブ化するためのコマンド５２２を受信することは、アイドル状態からのハンドオーバまたはアクティブリンクに少なくとも部分的に起因する。さらに、継続モジュール５１４は、現在のサービングセルが、ハンドオーバの検出時にＳＩＰＴＯゲートウェイのサービス範囲外にあるかどうかを決定し、現在のサービングセルが実際にサービス範囲外にある場合、パケットネットワーク接続を再アクティブ化する要求５２４を発行する。説明したように、パケット維持装置５０８は、ＵＥ５０２が、ローカルＧＷ５０６のサービス範囲外にあるアクセスポイントへのハンドオーバを行ったとき、パケットネットワーク接続を再アクティブ化するかまたは維持するように構成され得る。また、パケット維持装置５０８は、ＵＥ５０２をサービスしているモバイルネットワークによって発行された再アクティブ化コマンドを識別し、再アクティブ化コマンドに応答して、パケットネットワーク接続を再アクティブ化する要求５２４を発行するように構成され得る。その結果、ハンドオーバ、ローカルＧＷ５０６のリブート、またはローカルＧＷと別のＰ−ＧＷ（図示せず）との間のパケット接続負荷分散の場合、ＵＥ５０２は、ローカルＧＷによってサポートされるデータサービスの損失を受けにくくなる。
【００６６】
図６に、本開示の１つまたは複数の追加の態様による、ＵＥ６０２を備える例示的なワイヤレス通信システム６００のブロック図を示す。ＵＥ６０２は、ワイヤレスネットワークの１つまたは複数の基地局６０４（たとえば、（１つまたは複数の）アクセスポイント）とワイヤレス通信するように構成され得る。そのような構成に基づいて、ＵＥ６０２は、１つまたは複数の順方向リンクチャネル上では（１つまたは複数の）基地局６０４からワイヤレス信号を受信し、１つまたは複数の逆方向リンクチャネル上ではワイヤレス信号で応答することができる。さらに、ＵＥ６０２は、本明細書で説明するように（たとえば、上記の図６参照）、モバイルアクセス環境においてパケットネットワークサービスを維持するように構成された、メモリ６１４に記憶された命令と、これらの命令を実装するパケット維持装置６１６を実行するデータプロセッサ６１２とを備えることができる。詳細には、パケット維持装置６１６は、ＵＥ６０２がある（１つまたは複数の）基地局６０４から別の（１つまたは複数の）基地局へのハンドオーバを行った場合か、ＵＥ６０２上で動作しているアプリケーションからの要求時か、パケットネットワーク接続の早期終了時か、またはパケットネットワーク接続を再アクティブ化するためのネットワークコマンドの受信時に、（１つまたは複数の）基地局６０４によって可能にされるパケットネットワーク接続を再アクティブ化する要求を開始することができる。
【００６７】
ＵＥ６０２は、（たとえば、１つまたは複数の入出力インターフェースを備える）信号を受信する少なくとも１つのアンテナ６０６と、受信した信号に対して典型的なアクション（たとえば、フィルタリング、増幅、ダウンコンバートなど）を実行する（１つまたは複数の）受信機６０８とを含む。概して、アンテナ６０６および送信機６２０（トランシーバと総称される）は、（１つまたは複数の）基地局６０４とのワイヤレスデータ交換を可能にするように構成され得る。
【００６８】
アンテナ６０６および（１つまたは複数の）受信機６０８はまた、受信シンボルを復調し、復調されたシンボルを評価のために（１つまたは複数の）データプロセッサ６１２に供給することができる復調器６１０に結合され得る。（１つまたは複数の）データプロセッサ６１２は、ＵＥ６０２の１つまたは複数の構成要素（アンテナ６０６、受信機６０８、復調器６１０、メモリ６１４、パケット維持装置６１６、変調器６１８、送信機６２０）を制御および／または参照することができることを諒解されたい。さらに、（１つまたは複数の）データプロセッサ６１２は、ＵＥ６０２の機能を実行することに関係する情報または制御を備える１つまたは複数のモジュール、アプリケーション、エンジンなどを実行することができる。さらに、ＵＥ６０２のメモリ６１４は（１つまたは複数の）データプロセッサ６１２に動作可能に結合される。メモリ６１４は、送信、受信などすべきデータと、リモートデバイス（たとえば、（１つまたは複数の）基地局６０４）とのワイヤレス通信を行うのに適した命令とを記憶することができる。
【００６９】
上述のシステムについては、いくつかの構成要素、モジュールおよび／または通信インターフェースの間の相互作用に関して説明した。そのようなシステムおよび構成要素／モジュール／インターフェースは、本明細書で指定された構成要素／モジュールもしくはサブモジュール、指定された構成要素／モジュールもしくはサブモジュールの一部、および／または追加のモジュールを含むことができることを諒解されたい。たとえば、システムは、干渉緩和装置６０４を備えるサービングセル１０２、ＲＱＩ装置７１０に結合されたＵＥ７０２、あるいはこれらまたは他のエンティティの異なる組合せを含むことができる。また、サブモジュールは、親モジュール内に含まれるのではなく、他のモジュールに通信可能に結合されたモジュールとして実装され得る。さらに、１つまたは複数のモジュールを組み合わせて、集約機能を提供する単一のモジュールにすることができることに留意されたい。たとえば、信号割振りモジュール６１２は、単一のモジュールとして、別のＵＥのＵＥ固有パイロットに対する干渉を測定するようにＵＥに命令することと、その命令をＵＥに送信することとを可能にするための送信モジュール６１４を含むことができ、またその逆も同様である。モジュールはまた、特に本明細書に記載されていないが当業者に知られている１つまたは複数の他のモジュールと相互作用することができる。
【００７０】
さらに、諒解されるように、開示した上記のシステムおよび下記の方法の様々な部分は、人工知能、または知識ベースもしくはルールベースの構成要素、下位構成要素、プロセス、手段、方法、または機構（たとえば、サポートベクターマシン、ニューラルネットワーク、エキスパートシステム、ベイジアン信念ネットワーク（Bayesian belief network）、ファジィ論理、データ融合エンジン(data fusion engine)、クラシファイヤ(classifier)…）を含むか、またはそれらからなり得る。そのような構成要素は、特に、および本明細書ですでに説明したものに加えて、システムおよび方法の部分をより適応的ならびに効率的で知的にするために、そのような構成要素によって実行されるいくつかの機構またはプロセスを自動化することができる。
【００７１】
上記で説明した例示的なシステムに鑑みて、開示する主題に従って実施され得る方法は、図７〜図１０のフローチャートを参照すればより良く諒解されよう。説明を簡単にするために、方法を一連のブロックとして図示および説明するが、いくつかのブロックは、本明細書で図示および説明するブロックとは異なる順序で、および／または他のブロックと同時に、行われ得るので、請求する主題はブロックの順序によって限定されないことを理解および諒解されたい。その上、以下で説明する方法を実施するために、図示されたすべてのブロックが必要とされるわけではないことがある。さらに、以下および本明細書の全体にわたって開示する方法は、そのような方法をコンピュータに移送および転送することを可能にする製造品に記憶することが可能であることをさらに諒解されたい。使用する製造品という用語は、任意のコンピュータ可読デバイス、キャリアに関連するデバイス、または記憶媒体からアクセス可能なコンピュータプログラムを包含するものとする。
【００７２】
図７に、本開示の追加の態様による例示的な方法７００のフローチャートを示す。７０２において、方法７００は、モバイルネットワークに結合されたＵＥのためのデータネットワーク接続を確立する要求を受信することを備えることができる。さらに、７０４において、方法７００は、ＵＥに関係する記憶されたサブスクリプション情報のセットに基づいて、ローカルＩＰトラフィックサービスがＵＥに対して許可されるかどうかを決定することを備えることができる。一例では、ローカルＩＰトラフィックサービスは、中央ＧＧＳＮまたは中央Ｐ−ＧＷの代わりにローカルＧＷを介してデータパケットネットワークにアクセスするためのＳＩＰＴＯサービスに関係することができる。別の例では、ローカルＩＰトラフィックサービスは、ＵＥと、１つまたは複数のワイヤレスＩＰルータをもつＷｉＦｉネットワークなどのローカルＩＰネットワークとの間またはワイドエリアネットワークワイヤレスルータをもつワイドエリアＩＰネットワーク（たとえば、ｗｉｒｅｌｅｓｓ  ｉｎｔｅｒｏｐｅｒａｂｉｌｉｔｙ  ｆｏｒ  ｍｉｃｒｏｗａｖｅ  ａｃｃｅｓｓ［ＷｉＭＡＸ］）との間のローカルＩＰアクセス（ＬＩＰＡ）通信を開始することに関係することができる。
【００７３】
さらに、７０６において、方法７００は、ＳＩＰＴＯが許可される場合、データネットワーク接続を確立するために、ＵＥをサービスしているモバイルネットワークのセルまたはアクセスポイントに関連するローカルデータネットワークゲートウェイを識別することを備えることができる。サブスクリプション情報を参照することによって、ＳＩＰＴＯは、モバイルサービスプロバイダによってサポートされる１つまたは複数のＵＥのために、ＵＥごとに使用可能にされ得る。本開示の少なくとも１つの態様では、サブスクリプション情報は、要求で指定されたＡＰＮの無線ベアラ能力、ＵＥのサブスクリプションステータス、ローカルデータネットワークゲートウェイに関連するタリフレート、またはそれらの好適な組合せに基づいて半静的に更新される。この（１つまたは複数の）態様では、ＳＩＰＴＯは、サブスクリプション情報中で指定された上記の基準のうちの１つまたは複数のステータスに基づいてＵＥのために使用可能にされ得る。本開示の少なくとも１つの追加の態様では、ＳＩＰＴＯがＵＥに対して許可されるかどうかを決定することは、少なくとも部分的に、ＵＥに関連するコンテンツ追跡要件が、もしあれば、ローカルデータネットワークゲートウェイによってサポートされるかどうかを決定することを備える。
【００７４】
いくつかの開示する態様では、ＳＩＰＴＯがＵＥに対して許可されるかどうかを決定することは、ＳＩＰＴＯが要求で指定されたＡＰＮに対して許可されるかどうかを決定することと、ＳＩＰＴＯがＡＰＮに対して許可されない場合、要求を拒否することとをさらに備えることができる。特定の態様では、ＳＩＰＴＯがＡＰＮに対して許可されるかどうかを決定することは、ＡＰＮが要求に関連するトラフィックのＱｏＳ要件を満たすかどうかを識別することをさらに備える。別の態様では、ＳＩＰＴＯがＡＰＮに対して許可されるかどうかを決定することは、要求に関連する課金要件がローカルデータネットワークゲートウェイによってサポートされるかどうかを決定することを備える。
【００７５】
本開示のさらに他の態様では、ローカルデータネットワークゲートウェイを識別することは、ＤＮＳクエリを実行することをさらに備える。ＤＮＳクエリを実行することは、ＤＮＳが、ＵＥをサービスしているモバイルネットワークセルに地理的またはトポロジー的に最も近い近接ローカルデータネットワークゲートウェイを検索し、ＤＮＳクエリに応答して近接ローカルデータネットワークゲートウェイを返すことを可能にするインジケータを備えるＦＱＤＮを形成することをさらに備えることができる。特定の態様では、インジケータは、ＵＥの識別子に基づき、ＵＥのサブスクリプションがＳＩＰＴＯを許容するかどうかを指定するか、あるいはモバイルネットワークのセルまたはアクセスポイントの識別子に基づき、ネットワーク接続をサポートするためのローカルデータネットワークゲートウェイの能力を暗示するか、あるいはそれらの組合せである。
【００７６】
代替態様では、ローカルデータネットワークゲートウェイを識別することは、モバイルネットワークのモバイルネットワークアクセスポイントをローカルデータネットワークゲートウェイに関連付けるデータセットを取得するために、ＵＥをサービスしているモバイルネットワークセルを参照することをさらに備える。この態様では、ローカルデータネットワークゲートウェイを識別することは、モバイルネットワークセルをデータセット中の関連するローカルデータネットワークゲートウェイと照合することによって達成され得る。少なくとも１つのさらなる態様によれば、方法７００は、トラフィックタイムアウトの満了時に、またはＵＥが、ローカルデータネットワークゲートウェイによってサービスされるモバイルネットワークのセルの範囲外に移動したときに、データネットワーク接続の非アクティブ化を開始することをさらに備えることができる。この後者の態様では、ローカルデータネットワークゲートウェイのリソースは、モバイルネットワークによってサービスされるＵＥによってもはや利用されないデータネットワーク接続を終了することによって保存され得る。
【００７７】
図８Ａおよび図８Ｂに、本開示のさらに他の態様による例示的な方法８００のフローチャートを示す。８０２において、方法８００は、モバイルネットワークＵＥのためのデータコンテキストを確立する要求を受信することを備えることができる。８０４において、方法８００は、その要求からＵＥ  ＩＤまたは基地局ＩＤを抽出することを備えることができる。さらに、８０６において、方法８００は、要求を受信したことに応答して、ＵＥのための記憶されたサブスクリプションデータにアクセスすることを備えることができる。
【００７８】
８０８において、方法８００は、要求に関連するＡＰＮを取得することができる。８１０において、方法８００は、ＡＰＮがＳＩＰＴＯトラフィックをサポートするかどうかを示す記憶されたデータを参照することを備えることができる。８１２において、方法８００は、ＳＩＰＴＯがＡＰＮのために利用可能であるかどうかを決定することができる。利用可能でない場合、方法８００は８１４に進み、中央Ｐ−ＧＷにおけるＵＥのためのデータコンテキストを要求する。方法８００は参照番号８１４後に終了することができる。ＳＩＰＴＯがＡＰＮのために利用可能である場合、方法８００は代わりに８１６に進むことができ、ＡＰＮを、ＵＥをサービスしているモバイルネットワークのアクセスポイントと関連付けるデータセットが利用可能であるかどうかに関する別の決定が行われる。詳細には、データセットは、ＳＩＰＴＯがそれぞれのＡＰＮに対して許可されるか禁止されるかを示す、ＵＥのためのサブスクリプション情報を備えることができる。データセットを参照することによって、ＵＥをサービスしている基地局に関連するＡＰＮが識別され得、そのＡＰＮに関連するＳＩＰＴＯ許容／禁止フラグに基づいて、方法８００は、ＵＥがローカルＧＷにオフロードされ得るかどうかを決定することができる。
【００７９】
データセットが利用可能である場合、方法８００は図８Ａの８２２に進むことができ、そうでない場合、方法８００は８１８に進み、ＵＥ  ＩＤまたは基地局ＩＤに基づいてＦＱＤＮを形成する。ＦＱＤＮは、ＵＥをサービスすべきローカルＧＷを識別することを可能にするために使用される。次いで、方法８００は図８Ａの８２０に進む。
【００８０】
図８Ａの８２２において、方法８００は、参照番号８２０において形成されたＦＱＤＮに基づいてＤＮＳクエリを実行することを備えることができる。８２２において、方法８００は、ＵＥをサービスしているセルに地理的またはトポロジー的に最も近いローカルＧＷを受信することを備えることができる。８２６において、方法８００は、データコンテキストがローカルＧＷにおいて確立されることを要求することを備えることができる。８２８において、方法８００は、データコンテキストに関係するトラフィックタイムアウトが発生したかどうかを決定することを備えることができる。そうであれば、方法８００は８３０に進み、データコンテキストを非アクティブ化して、方法８００を終了し、そうでない場合、方法８００は８３２に進み、ＵＥがローカルＧＷのサービスエリア外に移動したかどうかを決定する。ＵＥがサービスエリア外に移動した場合、方法８００は８３０に進み、データコンテキストを非アクティブ化し、そうでない場合、方法８００は参照番号８２８に戻る。
【００８１】
図９に、本開示の１つまたは複数の他の態様による、モバイル通信加入者のためのパケットコンテキストを管理するための例示的な方法９００のフローチャートを示す。９０２において、方法９００は、モバイルネットワーク基地局からワイヤレスサービスを受信するＵＥのために確立されたデータネットワーク接続を識別することを備えることができる。９０４において、方法９００は、データネットワーク接続を可能にするデータネットワークアクセスポイントに関連する第１の識別子を参照することを備えることができる。９０６において、方法９００は、第１の識別子が、モバイルネットワーク基地局に関連するデータネットワークアクセスポイントの第２の識別子に一致しない場合、データネットワーク接続の非アクティブ化を開始することをさらに備えることができる。少なくとも１つの開示する態様では、第１の識別子および第２の識別子は、それぞれの第１のＩＰアドレスおよび第２のＩＰアドレスを備え、非アクティブ化を開始することは、第１のＩＰアドレスと第２のＩＰアドレスとが同じでないことを条件とする。
【００８２】
上記に加えて、第１の識別子と第２の識別子とを照合することは、モバイルネットワーク基地局についてのまたはＵＥについてのＤＮＳクエリを実行することを備えることができる。さらに、方法９００は、ＤＮＳクエリに応答してアクセスポイント識別子を検索し、そのアクセスポイント識別子を第２の識別子として採用することを備えることができる。この態様では、方法９００は、データネットワークアクセスポイント（たとえば、ローカルＧＷ）の識別子を、ＤＮＳクエリに応答して返された第２のデータネットワークアクセスポイント識別子と比較する。さらに、ＤＮＳクエリを実行することは、地理的またはトポロジー的にモバイルネットワーク基地局に最も近いローカルパケットゲートウェイを識別することを可能にするＦＱＤＮを形成することをさらに備えることができ、ＦＱＤＮは、ＵＥの識別子またはモバイルネットワーク基地局の識別子に基づく。ＤＮＳクエリは、現在のモバイルアクセスポイント（たとえば、モバイルネットワーク基地局）に関連する識別子を返すので、第２の識別子は、ＵＥをサービスしている現在のデータネットワークゲートウェイに対応するはずである。したがって、方法９００は、事実上、データネットワーク接続を可能にしたり、維持や確立などするデータネットワークゲートウェイを、ＵＥを現在サービスしているデータネットワークゲートウェイと比較し、それらが同じでない場合、データネットワーク接続の非アクティブ化を開始することができる。
【００８３】
本開示の代替態様では、第１の識別子と第２の識別子とを照合することは、モバイルネットワーク基地局に関連するデータネットワークアクセスポイント識別子のリストを参照することと、第１の識別子がデータネットワークアクセスポイント識別子のリスト中に含まれるかどうかを決定することとをさらに備える。本態様によれば、データネットワークアクセスポイント識別子のリストは、それぞれのモバイルネットワークトラッキングエリア、モバイルネットワークロケーションエリア、モバイルネットワークルーティングエリア、基地局識別子または無線ネットワークコントローラ識別子など、あるいはそれらの好適な組合せを備える。これらのデータネットワークアクセスポイント識別子は、一意にまたは疑似一意（たとえば、特定のＡＰＮのためのアクセスポイント識別子のコンテキスト内で一意）に、モバイルネットワーク基地局に関連する１つまたは複数のデータネットワークアクセスポイントを他のモバイルネットワーク基地局に関連するデータネットワークアクセスポイントと区別する。
【００８４】
追加の態様では、非アクティブ化を開始することは、第１の識別子が第２の識別子に一致しない場合、非アクティブ化要求を開始することと、非アクティブ化要求をＵＥに送ることとをさらに備える。この場合、ＵＥは、データネットワーク接続に関係するＵＥ開始型通信を終了することができるか、またはデータネットワーク接続の再アクティブ化を試みることを控え、例えば、第２のデータネットワーク接続を確立したいという別個のアプリケーション要求を控える。さらに別の態様では、非アクティブ化を開始することは、第１の識別子が第２の識別子に一致しない場合、非アクティブ化要求を開始することと、非アクティブ化要求を、データネットワーク接続を管理するネットワークエンティティに送ることとをさらに備える。少なくとも１つのさらなる態様では非アクティブ化要求がＵＥとネットワークエンティティとに送られ得ることを諒解されたい。
【００８５】
別の代替態様では、方法９００は、ＵＥがモバイルネットワーク基地局へのハンドオーバを行っているかまたは行ったかを決定することを備えることができる。これは、ＵＥがハンドオーバを行った場合、ハンドオーバの結果としてデータネットワーク接続の非アクティブ化を開始することをトリガすることができる。上記に加えて、９０８において、方法９００は、モバイル基地局に関連するデータネットワークアクセスポイントにおけるデータネットワーク接続の再アクティブ化をＵＥに要求させる再アクティブ化コマンドをＵＥに転送することをさらに備えることができる。再アクティブ化コマンドを送ることは、たとえば、データネットワーク接続の早期終了に応答して行われ得る。そのようなイベントは、データネットワーク接続を可能にしているデータネットワークアクセスポイントにおけるソフトウェアリブート、データネットワークアクセスポイントにおける電力遮断、または別の適切な終了によって生じ得る。
【００８６】
図１０に、モバイル通信においてデータネットワーク接続を可能にし、維持するための例示的な方法１０００のフローチャートを示す。１００２において、方法１０００は、ワイヤレスネットワークを介してデータネットワーク接続を確立することを備えることができる。１００４において、方法１０００は、データネットワーク接続を非アクティブ化する要求を受信することを備えることができる。１００６において、方法１０００は、現在のサービングセルのセル識別子が、データネットワーク接続に関連する直近のセル識別子とは異なる場合、データネットワーク接続を再アクティブ化する要求を開始することを備えることができる。一例では、要求を開始することは、現在のサービングセルが、データネットワーク接続をサポートするローカルデータネットワークゲートウェイのサービス範囲外にあると決定することをさらに備える。この決定は、ある場合には、セル識別子と直近のセル識別子とが一致しないことに起因し、または異なるローカルパケットネットワークゲートウェイが現在のサービングセルと直近のセルとをサービスすると決定することに起因し得る。１つの例示的な態様では、方法１０００は、近隣セルへのハンドオーバを実行することを備えることができ、非アクティブ化の要求を受信することは、ハンドオーバを実行することに少なくとも部分的に起因する。別の例示的な態様では、方法１０００は、データネットワーク接続のための再アクティブ化コマンドを受信し、再アクティブ化コマンドを受信したことの結果としてセル識別子を直近のセル識別子と比較することを備えることができる。したがって、ハンドオーバを実行するかまたは再アクティブ化コマンドを受信することは、場合によっては、現在のサービングセルと直近のセルとのそれぞれの識別子の相違を条件として、再アクティブ化の要求を開始することを潜在的にトリガすることができる。
【００８７】
図１１、図１２および図１３に、本開示の態様によるワイヤレス通信のための改善された確認応答（acknowledge）および再送信プロトコルを実装するためのそれぞれの例示的な装置１１００、１２００、１３００を示す。たとえば、装置１１００、１２００、１３００は、少なくとも部分的に、ワイヤレス通信ネットワーク内に、および／またはノード、基地局、アクセスポイント、ユーザ端末、モバイルインターフェースカードに結合されたパーソナルコンピュータなどのワイヤレス受信機内に常駐することができる。装置１１００、１２００、１３００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。
【００８８】
装置１１００は、モバイル通信環境において動作しているＵＥにＳＩＰＴＯを与えることを含む、装置１１００の機能を実行するように構成されたモジュールまたは命令を記憶するためのメモリ１１０２と、これらの機能を実装するモジュールを実行するためのデータプロセッサ１１１０とを備えることができる。たとえば、装置１１００は、モバイルネットワークに結合されたＵＥのためのデータネットワーク接続の確立要求を受信するためのモジュール１１０２を備えることができる。その上、装置１１００は、ＵＥに関係する記憶されたサブスクリプション情報のセットに基づいて、ローカルインターネットプロトコル（ＩＰ）トラフィックサービスがＵＥに対して許可されるかどうかを決定するためのモジュール１１０４を備えることができる。一例では、ローカルＩＰトラフィックサービスは、中央ＧＧＳＮまたはＰ−ＧＷの代わりにローカルＧＷを介してデータパケットネットワークにアクセスするためのＳＩＰＴＯサービスに関係することができる。別の例では、ローカルＩＰトラフィックサービスは、ＵＥと、１つまたは複数のワイヤレスＩＰルータをもつＷｉＦｉネットワークなどのローカルＩＰネットワークとの間またはワイドエリアネットワークワイヤレスルータをもつワイドエリアＩＰネットワーク（たとえば、ｗｉｒｅｌｅｓｓ  ｉｎｔｅｒｏｐｅｒａｂｉｌｉｔｙ  ｆｏｒ  ｍｉｃｒｏｗａｖｅ  ａｃｃｅｓｓ［ＷｉＭＡＸ］）との間のＬＩＰＡ通信を開始することに関係することができる。
【００８９】
さらに、装置１１００は、ＳＩＰＴＯが許可される場合、データネットワーク接続を確立するために、ＵＥをサービスしているモバイルネットワークのセルまたはアクセスポイントに関連するローカルデータネットワークゲートウェイを識別するためのモジュール１１０６を備えることができる。モジュール１１０６は、一例では、ローカルデータネットワークゲートウェイを検索するために、少なくとも部分的にＵＥの識別子またはモバイルネットワークのアクセスポイントの識別子から構成されるＦＱＤＮに基づいてＤＮＳクエリを実行することができ、またはローカルデータネットワークゲートウェイを識別するために、モバイルネットワークのアクセスポイントの識別子を利用して、ローカルデータネットワークゲートウェイをモバイルネットワークアクセスポイントと明示的に関連付けるデータセットを参照することができる。本開示の様々な態様では、データセットは、メモリ１１０２に記憶され得るか、モバイルネットワークエンティティ（たとえば、ＶＬＲ、ＨＬＲ、または他の好適なネットワークエンティティ）に記憶され得るか、またはモバイルネットワークのアクセスポイントにおいて記憶され得るなどである。
【００９０】
装置１２００は、ローカルパケットネットワークゲートウェイのためのパケットデータ接続を管理することを含む、装置１２００の機能を実行するように構成されたモジュールまたは命令を記憶するためのメモリ１２０２と、これらの機能を実装するモジュールを実行するためのデータプロセッサ１２０８とを備えることができる。詳細には、装置１２００は、ＲＡＮにデータネットワークサービスを提供するローカルＧＷにおけるパケット接続を識別するためのモジュール１２０４を備えることができる。さらに、装置１２００は、その接続で識別されたＵＥが、ローカルＧＷのサービスエリア外にあるＲＡＮのワイヤレスノードにアクティブに結合された場合にその接続を終了するためのモジュール１２０６を備えることができる。詳細には、サービスエリアは、ＵＥの識別子またはワイヤレスノードの識別子を備えるＤＮＳクエリがローカルＧＷを返すワイヤレスノードのセット、またはＲＡＮのワイヤレスノードをローカルＧＷに関連付けるデータセットのうちの少なくとも１つによって定義される。
【００９１】
装置１３００は、モバイルネットワーキング環境において動作しているＵＥのために確立されたデータネットワーク接続の再アクティブ化を可能にすることを含む、装置１３００の機能を実行するように構成されたモジュールまたは命令を記憶するためのメモリ１３０２と、これらの機能を実施するモジュールを実行するためのデータプロセッサ１３１０とを備えることができる。詳細には、装置１３００は、ワイヤレスネットワークを介してデータネットワーク接続を確立するためのモジュール１３０４を備えることができる。さらに、装置１３００は、データネットワーク接続を非アクティブ化する要求を受信するためのモジュール１３０６を備えることができる。上記に加えて、装置１３００は、現在のサービングセルのセル識別子が、データネットワーク接続に関連する直近のセル識別子とは異なる場合、データネットワーク接続を再アクティブ化する要求を開始するためのモジュール１３０８を備えることができる。
【００９２】
図１４に、本明細書で開示するいくつかの態様による、ワイヤレス通信を可能にすることができる例示的なシステム１４００のブロック図を示す。ＤＬ上で、アクセスポイント１４０５において、送信（ＴＸ）データプロセッサ１４１０は、トラフィックデータを受信し、フォーマットし、コーディングし、インターリーブし、変調し（またはシンボルマッピングし）、変調シンボル（「データシンボル」）を与える。シンボル変調器１４１５は、データシンボルおよびパイロットシンボルを受信し、処理し、シンボルのストリームを与える。シンボル変調器１４１５は、データおよびパイロットシンボルを多重化し、それらを送信機ユニット（ＴＭＴＲ）１４２０に供給する。各送信シンボルは、データシンボル、パイロットシンボル、または信号値０である。パイロットシンボルは各シンボル期間中に連続的に送信され得る。パイロットシンボルは、周波数分割多重化（ＦＤＭ）、直交周波数分割多重化（ＯＦＤＭ）、時分割多重化（ＴＤＭ）、符号分割多重化（ＣＤＭ）され得、あるいはそれらまたは同様の変調および／または送信技法の適切な組合せによる。
【００９３】
ＴＭＴＲ１４２０は、シンボルのストリームを受信し、１つまたは複数のアナログ信号に変換し、さらにアナログ信号を調整（たとえば、増幅、フィルタ処理、および周波数アップコンバート）して、ワイヤレスチャネル上での送信に好適なＤＬ信号を生成する。次いで、ＤＬ信号はアンテナ１４２５を介して端末に送信される。端末１４３０において、アンテナ１４３５は、ＤＬ信号を受信し、受信信号を受信機ユニット（ＲＣＶＲ）１４４０に供給する。受信機ユニット１４４０は、受信信号を調整（たとえば、フィルタ処理、増幅、周波数ダウンコンバート）し、調整された信号をデジタル化して、サンプルを取得する。シンボル復調器１４４５は、受信したパイロットシンボルを復調し、チャネル推定のためにプロセッサ１４５０に供給する。シンボル復調器１４４５は、さらに、プロセッサ１４５０からＤＬに関する周波数応答推定値を受信し、受信データシンボルに対してデータ復調を実行して、（送信データシンボルの推定値である）データシンボル推定値を取得し、データシンボル推定値をＲＸデータプロセッサ１４５５に供給し、ＲＸデータプロセッサ１４５５は、データシンボル推定値を復調（すなわち、シンボルデマッピング）し、デインターリーブ、復号して、送信トラフィックデータを復元する。シンボル復調器１４４５およびＲＸデータプロセッサ１４５５による処理は、アクセスポイント１４０５における、それぞれ、シンボル変調器１４１５およびＴＸデータプロセッサ１４１０による処理を補足するものである。
【００９４】
ＵＬ上で、ＴＸデータプロセッサ１４６０がトラフィックデータを処理し、データシンボルを与える。シンボル変調器１４６５は、データシンボルを受信し、パイロットシンボルと多重化し、変調を実行し、シンボルのストリームを与える。次いで、送信機ユニット１４７０は、シンボルのストリームを受信し、処理して、ＵＬ信号を生成し、そのＵＬ信号はアンテナ１４３５によってアクセスポイント１４０５に送信される。詳細には、ＵＬ信号は、ＳＣ−ＦＤＭＡ要件に従うことができ、本明細書で説明する周波数ホッピング機構を含むことができる。
【００９５】
アクセスポイント１４０５において、端末１４３０からのＵＬ信号がアンテナ１４２５によって受信され、受信機ユニット１４７５によって処理されて、サンプルが取得される。次いで、シンボル復調器１４８０が、それらのサンプルを処理し、ＵＬに関する受信パイロットシンボルおよびデータシンボル推定値を与える。ＲＸデータプロセッサ１４８５は、データシンボル推定値を処理して、端末１４３０によって送信されたトラフィックデータを復元する。プロセッサ１４９０は、ＵＬ上で送信している各アクティブ端末についてチャネル推定を実行する。複数の端末が、パイロットサブバンドのそれらのそれぞれの割り当てられたセット上でパイロットをＵＬ上で同時に送信することができ、パイロットサブバンドセットはインターレースされ得る。
【００９６】
プロセッサ１４９０および１４５０は、それぞれアクセスポイント１４０５および端末１４３０上の操作を指示（たとえば制御、調整、管理など）する。それぞれのプロセッサ１４９０および１４５０は、プログラムコードおよびデータを記憶するメモリユニット（図示せず）に結合され得る。プロセッサ１４９０および１４５０はまた、それぞれＵＬおよびＤＬについての周波数および時間ベースのインパルス応答推定値を導出するための計算を実行することができる。
【００９７】
多元接続システム（たとえば、ＳＣ−ＦＤＭＡ、ＦＤＭＡ、ＯＦＤＭＡ、ＣＤＭＡ、ＴＤＭＡなど）の場合、複数の端末がＵＬ上で同時に送信することができる。そのようなシステムの場合、パイロットサブバンドを異なる端末の間で共有することができる。各端末のためのパイロットサブバンドが（場合によっては、帯域エッジを除いて）動作帯域全体にわたる場合、チャネル推定技法を使用することができる。そのようなパイロットサブバンド構造は、端末ごとに周波数ダイバーシティを得るために望ましいであろう。
【００９８】
本明細書で説明する技法は様々な手段によって実装され得る。たとえば、これらの技法はハードウェア、ソフトウェア、またはそれらの組合せで実装され得る。ハードウェア実装の場合、それはデジタル、アナログ、またはデジタルとアナログの両方とすることができ、チャネル推定に使用される処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、あるいはそれらの組合せの中で実装され得る。ソフトウェアでは、本明細書で説明する機能を実行するモジュール（たとえば、プロシージャ、関数など）によって実装することができる。ソフトウェアコードは、メモリユニットに記憶され、プロセッサ１４９０および１４５０によって実行され得る。
【００９９】
図１５に、たとえば１つまたは複数の態様とともに利用され得る、複数の基地局（ＢＳ）１５１０（たとえば、ワイヤレスアクセスポイント、ワイヤレス通信デバイス）および複数の端末１５２０（たとえば、ＡＴ）をもつワイヤレス通信システム１５００を示す。ＢＳ１５１０は、概して、端末と通信する固定局であり、アクセスポイント、ノードＢ、または何らかの他の用語で呼ばれることもある。各ＢＳ１５１０は、図１５において１５０２ａ、１５０２ｂ、および１５０２ｃと標示された３つの地理的エリアとして示された、特定の地理的エリアまたはカバレージエリアの通信カバレージを与える。「セル」という用語は、その用語が使用されるコンテキストに応じてＢＳまたはそのカバレージエリアを指すことができる。システム容量を改善するために、ＢＳの地理的エリア／カバレージエリアは、複数のより小さいエリア（たとえば、図１５のセル１５０２ａによる、３つの、より小さいエリア）１５０４ａ、１５０４ｂ、および１５０４ｃに分割され得る。各々のより小さいエリア（１５０４ａ、１５０４ｂ、１５０４ｃ）は、それぞれのベーストランシーバサブシステム（ＢＴＳ）によってサービスされ得る。「セクタ」という用語は、その用語が使用されるコンテキストに応じてＢＴＳまたはそのカバレージエリアを指すことができる。セクタ化されたセルの場合、そのセルのすべてのセクタのＢＴＳは、典型的には、そのセルの基地局内に共同設置される。本明細書で説明する送信技法は、セクタ化されたセルをもつシステムならびにセクタ化されないセルをもつシステムに使用され得る。簡単のために、本明細書では、別段に規定されていない限り、「基地局」という用語は、セクタをサービスする固定局、ならびにセルをサービスする固定局に対して総称的に使用する。
【０１００】
端末１５２０は、一般に、システム全体にわたって分散され、各端末１５２０は固定でも移動でもよい。端末１５２０は、移動局、ユーザ機器、ユーザデバイス、ワイヤレス通信装置、アクセス端末、ユーザ端末または何らかの他の用語で呼ばれることもある。端末１５２０は、ワイヤレスデバイス、セルラー電話、携帯情報端末（ＰＤＡ）、ワイヤレスモデムカードなどとすることができる。各端末１５２０は、任意の所与の瞬間に、ダウンリンク（たとえば、ＦＬ）およびアップリンク（たとえば、ＲＬ）上の０、１つ、または複数のＢＳ１５１０と通信することができる。ダウンリンクは、基地局から端末への通信リンクを指し、アップリンクは、端末から基地局への通信リンクを指す。
【０１０１】
集中型アーキテクチャの場合、システムコントローラ１５３０がＢＳ１５１０に結合し、ＢＳ１５１０のために調整および制御を行う。分散アーキテクチャの場合、ＢＳ１５１０は、必要に応じて（たとえば、ＢＳ１５１０を通信可能に結合するワイヤードまたはワイヤレスバックホールネットワークによって）互いに通信することができる。順方向リンク上のデータ送信は、しばしば１つのアクセスポイントから１つのアクセス端末に、順方向リンクまたは通信システムによってサポートされ得る最大データレートで、またはその近くで行われる。順方向リンクの追加のチャネル（たとえば、制御チャネル）は、複数のアクセスポイントから１つのアクセス端末に送信され得る。逆方向リンクのデータ通信は、１つのアクセス端末から１つまたは複数のアクセスポイントに行われることがある。
【０１０２】
図１６に、ネットワーク環境内でアクセスポイント基地局の展開を可能にするための例示的な通信システムを示す。図１６に示すように、システム１６００は、たとえば、ＨＮＢ１６１０など、複数のアクセスポイント基地局またはホームノードＢユニット（ＨＮＢ）またはフェムトセルを含み、各々は、たとえば、１つまたは複数のユーザ住居１６３０中などの対応する小規模ネットワーク環境中に設置され、関連するならびに外来のユーザ機器（ＵＥ）１６２０をサービスするように構成される。各ＨＮＢ１６１０は、さらに、ＤＳＬルータ（図示せず）、または、代替的に、ケーブルモデム（図示せず）を介してインターネット１６４０とモバイル事業者コアネットワーク１６５０とに結合される。
【０１０３】
本明細書で説明する実施形態では３ＧＰＰ用語を使用しているが、実施形態は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術および他の知られている関連技術に適用され得ることを理解されたい。本明細書で説明するそのような実施形態では、ＨＮＢ１６１０の所有者は、たとえば、モバイル事業者コアネットワーク１６５０を通して提供される３Ｇモバイルサービスなどのモバイルサービスに加入し、ＵＥ１６２０は、マクロセルラー環境中と宅内小規模ネットワーク環境中の両方で動作することが可能である。したがって、ＨＮＢ１６１０は既存のＵＥ１６２０と後方互換性がある。
【０１０４】
さらに、モバイル事業者コアネットワーク１６５０に加えて、ＵＥ１６２０は、所定の数のＨＮＢ１６１０、すなわち、ユーザの住居１６３０内に常駐するＨＮＢ１６１０のみによってサービスされ得、モバイル事業者コアネットワーク１６５０とのソフトハンドオーバ状態になることはない。ＵＥ１６２０は、マクロセルアクセス１６５５を介してモバイル事業者コアネットワーク１６５０と通信するか、またはＨＮＢ１６１０と通信することができるが、同時に両方と通信することはできない。ＵＥ１６２０が、ＨＮＢ１６１０と通信することを認可される限り、ユーザの住居内で、ＵＥ１６２０は関連するＨＮＢ１６１０のみと通信することが望まれる。
【０１０５】
本開示において使用する、「構成要素」、「システム」、「モジュール」などの用語は、コンピュータ関連のエンティティ、すなわち、ハードウェア、ソフトウェア、実行中のソフトウェア、ファームウェア、ミドルウェア、マイクロコードのいずれか、および／またはそれらの任意の組合せを指すものとする。たとえば、モジュールは、プロセッサ上で動作するプロセス、プロセッサ、オブジェクト、実行ファイル、実行スレッド、プログラム、デバイス、および／またはコンピュータとすることができるが、これらに限定されない。１つまたは複数のモジュールがプロセスまたは実行スレッド内に常駐することができ、モジュールは、１つの電子デバイス上に配置すること、または２つ以上の電子デバイス間に分散させることが可能である。さらに、これらのモジュールは、様々なデータ構造を記憶している様々なコンピュータ可読媒体から実行することができる。これらのモジュールは、たとえば、１つまたは複数のデータパケット（たとえば、信号を介して、ローカルシステム、分散システム内の別の構成要素と対話する、またはインターネットなどのネットワーク上で他のシステムと対話する、１つの構成要素からのデータ）を有する信号によるなど、ローカルプロセスまたはリモートプロセスを介して通信することができる。さらに、当業者なら諒解するように、本明細書で説明するシステムの構成要素またはモジュールは、それに関して説明する様々な態様、目的、利点などを達成することができるように追加の構成要素／モジュール／システムによって再構成または補完され得、所与の図に記載の正確な構成に限定されない。
【０１０６】
さらに、本明細書では、様々な態様について、ＵＥに関して説明する。ＵＥは、システム、加入者ユニット、加入者局、移動局、モバイル、モバイル通信デバイス、モバイルデバイス、リモート局、リモート端末、ＡＴ、ユーザエージェント（ＵＡ）、ユーザデバイス、またはユーザ端末（ＵＥ）と呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【０１０７】
１つまたは複数の例示的な実施形態では、説明する機能は、ハードウェア、ソフトウェア、ファームウェア、ミドルウェア、マイクロコード、またはそれらの好適な組合せで実装され得る。ソフトウェアで実装した場合、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の物理媒体であり得る。限定ではなく、例として、そのようなコンピュータ記憶媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、スマートカード、およびフラッシュメモリデバイス（たとえば、カード、スティック、キードライブ．．．）、あるいは命令またはデータ構造の形態の所望のプログラムコードを搬送または記憶するために使用され得、コンピュータによってアクセスされ得る、任意の他の媒体を備えることができる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１０８】
ハードウェア実装の場合、本明細書で開示する態様に関して説明する処理ユニットの様々な例示的な論理、論理ブロック、モジュール、および回路は、１つまたは複数のＡＳＩＣ、ＤＳＰ、ＤＳＰＤ、ＰＬＤ、ＦＰＧＡ、個別ゲートまたはトランジスタ論理、個別ハードウェア構成要素、汎用プロセッサ、コントローラ、マイクロコントローラ、マイクロプロセッサ、本明細書で説明する機能を実行するように設計された他の電子ユニット、あるいはそれらの組合せの中で実装または実行され得る。汎用プロセッサはマイクロプロセッサとすることができるが、代替として、プロセッサは、任意の従来のプロセッサ、コントローラ、マイクロコントローラ、または状態機械とすることができる。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他の好適な構成として実装され得る。さらに、少なくとも１つのプロセッサは、本明細書で説明するステップおよび／またはアクションのうちの１つまたは複数を実行するように動作可能な１つまたは複数のモジュールを備えることができる。
【０１０９】
さらに、本明細書で説明する様々な態様または特徴は、標準のプログラミングおよび／またはエンジニアリング技法を使用した方法、装置、または製造品として実装され得る。さらに、本明細書で開示する態様に関して説明する方法またはアルゴリズムのステップおよび／またはアクションは、直接ハードウェアで実施されるか、プロセッサによって実行されるソフトウェアモジュールで実施されるか、またはその２つの組合せで実施され得る。さらに、いくつかの態様では、方法またはアルゴリズムのステップまたはアクションは、コンピュータプログラム製品に組み込むことができる、機械可読媒体またはコンピュータ可読媒体上のコードまたは命令の少なくとも１つまたは任意の組合せ、あるいはそのセットとして常駐することができる。
【０１１０】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。本出願で使用する「または」という用語は、排他的な「または」ではなく、包括的な「または」を意味するものとする。すなわち、別段に規定されていない限り、または文脈から明白でない限り、「ＸはＡまたはＢを採用する」は、自然な包括的置換のいずれかを意味するものとする。すなわち、ＸがＡを採用するか、ＸがＢを採用するか、またはＸがＡとＢの両方を採用する場合、「ＸはＡまたはＢを採用する」は上記の例のいずれの下でも満たされる。さらに、本出願および添付の特許請求の範囲で使用する冠詞「ａ」および「ａｎ」は、別段に規定されていない限り、または単数形を示すことが文脈から明白でない限り、概して「１つまたは複数」を意味するものと解釈すべきである。
【０１１１】
さらに、本明細書で使用する「推論する」または「推論」という用語は、概して、イベントまたはデータを介して捕捉される観測のセットから、システム、環境、またはユーザの状態を推理または推論するプロセスを指す。推論は、特定のコンテキストまたはアクションを識別するために使用され得、あるいは、たとえば、状態の確率分布を生成することができる。推論は、確率的、すなわち、データおよび事象の考察に基づく当該の状態の確率分布の計算とすることができる。推論は、イベントまたはデータのセットからより高いレベルのイベントを構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【０１１２】
以上の説明は、請求する主題の態様の例を含む。もちろん、請求する主題について説明する目的で構成要素または方法のあらゆる考えられる組合せについて説明することは不可能であるが、開示した主題の多数のさらなる組合せおよび置換が可能であることを、当業者なら認識されよう。したがって、開示した主題は、添付の特許請求の範囲の趣旨および範囲内に入るすべてのそのような改変形態、変更形態および変形形態を包含するものとする。さらに、「含む（include）」、「有する（has）」または「有する（having）」という用語は、そのような用語が、発明を実施するための形態または特許請求の範囲のいずれかにおいて使用される限り、「備える（comprising）」という用語を採用すると請求項における移行語と解釈されるように「備える（comprising）」と同様に包括的なものとする。
以下に、本願出願の当初の特許請求の範囲に記載された発明を付記する。
［１］  モバイルネットワークに結合されたユーザ機器（ＵＥ）のためのデータネットワーク接続を確立する要求を受信することと、
前記ＵＥに関係する記憶されたサブスクリプション情報のセットに基づいて、選択されたローカルインターネットプロトコル（ＩＰ）トラフィックサービスが前記ＵＥに対して許可されるかどうかを決定することと、
ＳＩＰＴＯが許可される場合、前記データネットワーク接続を確立するために、前記ＵＥをサービスしている前記モバイルネットワークのセルまたはアクセスポイントに関連するローカルデータネットワークゲートウェイを識別することと、
を備えるワイヤレス通信のための方法。
［２］  前記ローカルＩＰトラフィックサービスは選択ＩＰトラフィックオフロード（ＳＩＰＴＯ）であり、
前記ＳＩＰＴＯが前記要求で指定されたアクセスポイント名（ＡＰＮ）に対して許可されるかどうかを決定することと、前記ＳＩＰＴＯが前記ＡＰＮに対して許可されない場合、前記要求を拒否することと、をさらに備える、［１］記載の方法。
［３］  前記ＳＩＰＴＯが前記ＡＰＮに対して許可されるかどうかを決定することは、前記ＡＰＮが前記要求に関連するトラフィックのＱｏＳ要件を満たすかどうかを識別することをさらに備える、［２］記載の方法。
［４］  前記サブスクリプション情報は、前記ＡＰＮの無線ベアラ能力、前記ＵＥのサブスクリプションステータス、前記ローカルデータネットワークゲートウェイに関連するタリフレート、またはそれらの組合せに基づいて半静的に更新される、［２］記載の方法。
［５］  前記ＳＩＰＴＯが前記ＡＰＮに対して許可されるかどうかを決定することは、前記要求に関連する課金要件が前記ローカルデータネットワークゲートウェイによってサポートされるかどうかを決定することを備える、［２］記載の方法。
［６］  前記ローカルＩＰトラフィックサービスが前記ＵＥに対して許可されるかどうかを決定することは、前記ＵＥに関連するコンテンツ追跡要件が前記ローカルデータネットワークゲートウェイによってサポートされるかどうかを決定することを備える、［１］記載の方法。
［７］  前記ローカルデータネットワークゲートウェイを識別することは、ドメイン名サーバクエリ（ＤＮＳクエリ）を実行することをさらに備える、［１］記載の方法。
［８］  ドメイン名サーバが、
前記ＵＥをサービスしているモバイルネットワークセルに地理的またはトポロジー的に最も近い近接ローカルデータネットワークゲートウェイを検索することと、
前記ＤＮＳクエリに応答して前記近接ローカルデータネットワークゲートウェイを返すことと、を可能にするインジケータを備える完全修飾ドメイン名（ＦＱＤＮ）を形成することと、
をさらに備える、［７］記載の方法。
［９］  前記インジケータは、前記ＵＥの識別子に基づき、前記ＵＥのサブスクリプションが前記ローカルＩＰトラフィックサービスを許容するかどうかを指定するか、あるいは前記モバイルネットワークの前記セルまたは前記アクセスポイントの識別子に基づき、前記ネットワーク接続をサポートするための前記ローカルデータネットワークゲートウェイの能力を示すか、あるいはそれらの組合せである、［８］記載の方法。
［１０］  前記ローカルデータネットワークゲートウェイを識別することは、前記モバイルネットワークのモバイルネットワークアクセスポイントをローカルデータネットワークゲートウェイに関連付けるデータセットを取得するために、前記ＵＥをサービスしているモバイルネットワークセルを参照することをさらに備える、［１］記載の方法。
［１１］  トラフィックタイムアウトの満了時に、または前記ＵＥが、前記ローカルデータネットワークゲートウェイによってサービスされる前記モバイルネットワークのセルの範囲外に移動したときに、前記データネットワーク接続の非アクティブ化を開始することをさらに備える、［１］記載の方法。
［１２］  局所インターネットプロトコル（ＩＰ）トラフィックサービスを可能にする命令を記憶するためのメモリと、
前記命令を実装するためのモジュールを実行するデータプロセッサと、
を備え、前記モジュールは、
ＩＰネットワークへの接続についての要求を識別し、前記要求を開始したユーザ機器（ＵＥ）のサブスクリプション情報のセットを検索する受信モジュールと、
前記サブスクリプション情報を分析し、前記ＵＥがローカルパケットゲートウェイ（ローカルＧＷ）サービスを利用することを許可されるかどうかを決定する解析モジュールと、
前記ＵＥにモバイルネットワークサービスを提供している基地局に関連し、前記ＩＰネットワークへの前記接続を確立するためのローカルＧＷを識別する参照モジュールと、
を備える、ワイヤレス通信のための装置。
［１３］  前記参照モジュールは、前記ローカルＧＷを識別するためにドメイン名サーバクエリ（ＤＮＳクエリ）を実行する、［１２］記載の装置。
［１４］  前記参照モジュールは、ドメイン名サーバが地理的またはトポロジー的に前記基地局に最も近い前記ローカルＧＷを返すことを可能にする完全修飾ドメイン名（ＦＱＤＮ）を作成する、［１３］記載の装置。
［１５］  前記ＦＱＤＮは、前記ＵＥの識別子または前記基地局の識別子に少なくとも部分的に基づく、［１４］記載の装置。
［１６］  前記参照モジュールは、メモリからまたは前記基地局から、前記基地局に関連する指定されたＰ−ＧＷ識別子を取得する、［１２］記載の装置。
［１７］  前記解析モジュールは、前記サブスクリプション情報から、前記ＵＥがアクセスすることを許可されるローカルＧＷのセットを抽出する、［１２］記載の装置。
［１８］  前記ＵＥが前記要求に応答してローカルＧＷサービスを利用することを許可されるかどうかを決定するために、前記参照モジュールから取得された前記ローカルＧＷの識別子を、前記解析モジュールから取得されたローカルＧＷの前記セットと比較するアクセスモジュールをさらに備える、［１７］記載の装置。
［１９］  前記サブスクリプション情報中に含まれるＩＰネットワークアクセスポイント名（ＡＰＮ）のセットは、それぞれの許可／不許可フラグに関連付けられ、さらに、許可／不許可フラグのステータスは、
前記ＵＥのサブスクリプションステータスと、
前記ＵＥに対して定められた政府追跡要件と、
関連するローカルＧＷの無線ベアラ能力と、
前記関連するローカルＧＷの事業者によって課金されるタリフと、のうちの少なくとも１つに基づいて更新される、［１２］記載の装置。
［２０］  前記解析モジュールは、前記要求中に含まれるＡＰＮが前記サブスクリプション情報中で許可に設定された許可／不許可フラグに関連する場合、前記ＵＥがローカルＧＷサービスを利用することを許可されると決定する、［１２］記載の装置。
［２１］  トラフィックタイムアウトの満了時に、または前記ＵＥが前記ローカルＧＷのサービス範囲外に移動したときに、前記接続の非アクティブ化を開始する終了モジュールをさらに備える、［１２］記載の装置。
［２２］  前記ローカルＧＷの前記サービス範囲が、
前記ローカルＧＷに関連する、基地局、トラッキングエリア、ルーティングエリア、ロケーションエリアまたは無線ネットワークコントローラのリストと、
前記ローカルＧＷの識別子を返すＤＮＳクエリと、のうちの少なくとも１つから決定される、［２１］記載の装置。
［２３］  モバイルネットワークに結合されたユーザ機器（ＵＥ）のためのデータネットワーク接続を確立する要求を受信するための手段と、
前記ＵＥに関連する記憶されたサブスクリプション情報のセットに基づいて、ローカルインターネットプロトコル（ＩＰ）トラフィックサービスが前記ＵＥに対して許可されるかどうかを決定するための手段と、
前記ローカルＩＰトラフィックサービスが許可される場合、前記ＵＥをサービスしている前記モバイルネットワークのセルまたはアクセスポイントに関連する前記データネットワーク接続を確立するローカルデータネットワークゲートウェイを識別するための手段と、
を備える、ワイヤレス通信のための装置。
［２４］  モバイルネットワークに結合されたユーザ機器（ＵＥ）のためのデータネットワーク接続を確立する要求を受信する第１のモジュールと、
前記ＵＥに関連する記憶されたサブスクリプション情報のセットに基づいて、ローカルインターネットプロトコル（ＩＰ）トラフィックサービスが前記ＵＥに対して許可されるかどうかを決定する第２のモジュールと、
前記ローカルＩＰトラフィックサービスが許可される場合、前記ＵＥをサービスしている前記モバイルネットワークのセルまたはアクセスポイントに関連し、前記データネットワーク接続を確立するローカルデータネットワークゲートウェイを識別する第３のモジュールと、
を備える、ワイヤレス通信のために構成された少なくとも１つのプロセッサ。
［２５］  コンピュータに、モバイルネットワークに結合されたユーザ機器（ＵＥ）のためのデータネットワーク接続を確立する要求を受信させる第１のコードセットと、
前記コンピュータに、前記ＵＥに関連する記憶されたサブスクリプション情報のセットに基づいて、ローカルインターネットプロトコル（ＩＰ）トラフィックサービスが前記ＵＥに対して許可されるかどうかを決定させる第２のコードセットと、
前記コンピ−タに、前記ローカル（ＩＰ）トラフィックサービスが許可される場合、前記ＵＥをサービスしている前記モバイルネットワークのセルまたはアクセスポイントに関連する前記データネットワーク接続を確立するローカルデータネットワークゲートウェイを識別させる第３のコードセットと、を備える、コンピュータ可読媒体を備えるコンピュータプログラム製品。
［２６］  モバイルネットワーク基地局からワイヤレスサービスを受信するユーザ機器（ＵＥ）のために確立されたデータネットワーク接続を識別することと、
前記データネットワーク接続を可能にするデータネットワークアクセスポイントに関連する第１の識別子を参照することと、
前記第１の識別子が、前記モバイルネットワーク基地局に関連するデータネットワークアクセスポイントの第２の識別子に一致しない場合、前記データネットワーク接続の非アクティブ化を開始することと、
を備える、ワイヤレス通信の方法。
［２７］  前記第１の識別子および前記第２の識別子が、それぞれの第１のインターネットプロトコル（ＩＰ）アドレスおよび第２のＩＰアドレスを備え、前記非アクティブ化を開始することが、前記第１のＩＰアドレスと前記第２のＩＰアドレスとが同じでないことを条件とする、［２６］記載の方法。
［２８］  前記モバイルネットワーク基地局についてのまたは前記ＵＥについてのドメイン名サーバクエリ（ＤＮＳクエリ）を実行することと、
前記ＤＮＳクエリに応答してアクセスポイント識別子を検索することと、
前記アクセスポイント識別子を前記第２の識別子として使用することと、
をさらに備える、［２６］記載の方法。
［２９］  地理的またはトポロジー的に前記モバイルネットワーク基地局に最も近いローカルパケットゲートウェイを識別することを可能にする完全修飾ドメイン名（ＦＱＤＮ）を形成することをさらに備え、前記ＦＱＤＮは、
前記ＵＥの識別子と、
前記モバイルネットワーク基地局の識別子と、
のうちの少なくとも１つに基づく、［２８］記載の方法。
［３０］  前記第１の識別子と前記第２の識別子とを照合することは、前記モバイルネットワーク基地局に関連するデータネットワークアクセスポイント識別子のリストを参照することと、前記第１の識別子がデータネットワークアクセスポイント識別子の前記リスト中に含まれるかどうかを決定することと、をさらに備え、
データネットワークアクセスポイント識別子の前記リストは、前記モバイルネットワーク基地局に関連する１つまたは複数のデータネットワークアクセスポイントについての、それぞれのモバイルネットワークトラッキングエリア、モバイルネットワークロケーションエリア、モバイルネットワークルーティングエリア、基地局識別子、または無線ネットワークコントローラ識別子、あるいはそれらの組合せを備える、［２６］記載の方法。
［３１］  前記第１の識別子が前記第２の識別子に一致しない場合、非アクティブ化要求を開始することと、前記非アクティブ化要求を前記ＵＥに送ることと、をさらに備える［２６］記載の方法。
［３２］  前記第１の識別子が前記第２の識別子に一致しない場合、非アクティブ化要求を開始することと、前記データネットワーク接続を管理するネットワークエンティティへ前記非アクティブ化要求を送ることと、をさらに備える、［２６］記載の方法。
［３３］  前記ＵＥが前記モバイルネットワーク基地局へのハンドオーバを行っているかまたは行ったと決定することと、前記ハンドオーバの結果として前記データネットワーク接続の非アクティブ化を開始することと、をさらに備える、［２６］記載の方法。
［３４］  前記モバイル基地局に関連する前記データネットワークアクセスポイントにおける前記データネットワーク接続の再アクティブ化を前記ＵＥに要求させる再アクティブ化コマンドを前記ＵＥに転送することをさらに備える、［２６］記載の方法。
［３５］  前記データネットワーク接続をサポートするローカルデータネットワークゲートウェイをリブートすること、
前記ローカルデータネットワークゲートウェイを関連するローカルデータネットワークゲートウェイと負荷分散すること、または、
前記ローカルデータネットワークゲートウェイのカバレージエリア外で前記ＵＥがトラベルしていること、または前記ＵＥがトラベルしていることを予期すること、の結果として前記再アクティブ化コマンドを転送することをさらに備える、［３４］記載の方法。
［３６］  無線アクセスネットワーク（ＲＡＮ）に関連するアクティブデータネットワーク接続の管理および削除のために構成された命令を記憶するためのメモリと、
前記命令を実装するモジュールを実行するためのデータプロセッサと、
を備え、
前記モジュールは、
前記ＲＡＮをサービスするローカルパケットゲートウェイ（ローカルＧＷ）における確立されたパケット接続を識別する維持モジュールと、
前記接続で識別されたユーザ機器（ＵＥ）が、前記ローカルＧＷのサービスエリア外にある前記ＲＡＮのワイヤレスノードにアクティブに結合される場合に、前記パケット接続の非アクティブ化を開始する終了モジュールと、
を備える、ワイヤレス通信のために構成された装置。
［３７］  前記ワイヤレスノードが前記ローカルＧＷの前記サービスエリア外にあるかどうかを決定するように構成された参照モジュールをさらに備える、［３６］記載の装置。
［３８］  前記参照モジュールは、
前記ＵＥについてのまたは前記ワイヤレスノードについてのドメイン名サーバクエリ（ＤＮＳクエリ）を実行し、前記ＵＥにまたは前記ワイヤレスノードに関連する現在のローカルＧＷを検索し、
前記ローカルＧＷの識別子を前記現在のローカルＧＷの第２の識別子と比較する、
［３７］記載の装置。
［３９］  前記参照モジュールは、前記識別子と前記第２の識別子とが同じである場合、前記ワイヤレスノードが前記サービスエリア内にあると決定する、［３８］記載の装置。
［４０］  前記参照モジュールは、ドメイン名サーバが、地理的またはトポロジー的に前記ワイヤレスノードに最も近い前記現在のローカルＧＷを返すことを可能にする完全修飾ドメイン名（ＦＱＤＮ）を作成する、［３８］記載の装置。
［４１］  前記参照モジュールは、前記サービスエリア内のワイヤレスノードを前記ローカルＧＷに関連付けるデータセットを取得し、前記ＲＡＮの前記ワイヤレスノードが前記ローカルＧＷと関連するかどうかを検査する、［３７］記載の装置。
［４２］  前記終了モジュールは、前記接続を非アクティブ化するために、前記ＵＥに、または前記ローカルＧＷにおける前記接続を管理するネットワークエンティティに、非アクティブ化コマンドを送る、［３６］記載の装置。
［４３］  前記維持モジュールは、前記ＵＥがアイドル状態から前記ワイヤレスノードへのハンドオーバを行ったかまたは前記ワイヤレスノードにアクセスしたと決定するか、あるいはその決定を受信し、前記接続を識別するために前記ローカルＧＷを走査する、［３６］記載の装置。
［４４］  前記維持モジュールが、前記ワイヤレスノードを介した前記接続の再アクティブ化を前記ＵＥに要求させる再アクティブ化コマンドを前記ＵＥに転送する、［３６］記載の装置。
［４５］  前記維持モジュールは、
前記ローカルＧＷをリブートすることと、
前記ローカルＧＷと１つまたは複数の他のＰ−ＧＷとに負荷分散することと、
前記ＵＥが前記サービスエリア外の接続をアクティブ化することと、のうちの少なくとも１つに応答して前記再アクティブ化コマンドを転送する、［４４］記載の装置。
［４６］  無線アクセスネットワーク（ＲＡＮ）にデータネットワークサービスを提供するローカルパケットゲートウェイ（ローカルＧＷ）におけるパケット接続を識別するための手段と、
前記接続で識別されたユーザ機器（ＵＥ）が、前記ローカルＧＷのサービスエリア外にある前記ＲＡＮのワイヤレスノードにアクティブに結合された場合に前記接続を終了するための手段と、
を備え、前記サービスエリアは、
前記ＲＡＮのワイヤレスノードを前記ローカルＧＷに関連付けるデータセットと、
前記ＵＥの識別子または前記ワイヤレスノードの識別子を備えるドメイン名サーバクエリが前記ローカルＧＷを返すワイヤレスノードの前記セットと、
のうちの少なくとも１つによって定義される、ワイヤレス通信のための装置。
［４７］  無線アクセスネットワーク（ＲＡＮ）にデータネットワークサービスを提供するローカルパケットゲートウェイ（ローカルＧＷ）におけるパケット接続を識別する第１のモジュールと、
前記接続で識別されたユーザ機器（ＵＥ）が、前記ローカルＧＷのサービスエリア外にある前記ＲＡＮのワイヤレスノードにアクティブに結合された場合に前記接続を終了する第２のモジュールと、
を備え、前記サービスエリアは、
前記ＲＡＮのワイヤレスノードを前記ローカルＧＷに関連付けるデータセットと、
前記ＵＥの識別子または前記ワイヤレスノードの識別子を備えるドメイン名サーバクエリが前記ローカルＧＷを返すワイヤレスノードの前記セットと、
のうちの少なくとも１つによって定義される、
ワイヤレス通信のために構成された少なくとも１つのデータプロセッサ。
［４８］  コンピュータに、無線アクセスネットワーク（ＲＡＮ）にデータネットワークサービスを提供するローカルパケットゲートウェイ（ローカルＧＷ）におけるパケット接続を識別させる第１のコードセットと、
前記コンピュータに、前記接続で識別されたユーザ機器（ＵＥ）が、前記ローカルＧＷのサービスエリア外にある前記ＲＡＮのワイヤレスノードにアクティブに結合された場合に前記接続を終了させる第２のコードセットと、
を備え、前記サービスエリアは、
前記ＲＡＮのワイヤレスノードを前記ローカルＧＷに関連付けるデータセットと、
前記ＵＥの識別子または前記ワイヤレスノードの識別子を備えるドメイン名サーバクエリが前記ローカルＧＷを返すワイヤレスノードの前記セットと、
のうちの少なくとも１つによって定義される、
コンピュータ可読媒体を備える、コンピュータプログラム製品。
［４９］  ワイヤレスネットワークを介してデータネットワーク接続を確立することと、
前記データネットワーク接続を非アクティブ化する要求を受信することと、
現在のサービングセルのセル識別子が前記データネットワーク接続に関連する直近のセル識別子と異なる場合、前記データネットワーク接続を再アクティブ化する要求を開始することと、
を備える、ワイヤレス通信の方法。
［５０］  近隣セルへのハンドオーバを実行することをさらに備え、非アクティブ化の前記要求を受信することは、前記ハンドオーバを実行することに少なくとも部分的に起因する、［４９］記載の方法。
［５１］  前記データネットワーク接続のための再アクティブ化コマンドを受信することと、前記再アクティブ化コマンドを受信したことの結果として前記セル識別子を前記直近のセル識別子と比較することと、をさらに備える［４９］記載の方法。
［５２］  前記要求を開始することは、前記現在のサービングセルが、前記データネットワーク接続をサポートするローカルデータネットワークゲートウェイのサービス範囲外にあると決定することをさらに備える、［４９］記載の方法。
［５３］  モバイルアクセス環境においてパケットネットワークサービスを維持するように構成された命令を記憶するためのメモリと、
前記命令を実装するためのモジュールを実行するデータプロセッサと、
を備え、前記モジュールは、
選択されたインターネットプロトコルトラフィックオフロードゲートウェイ（ＳＩＰＴＯゲートウェイ）において確立されたパケットネットワーク接続を非アクティブ化するためのコマンドを受信する接続モジュールと、
現在のサービングセルのセル識別子が、前記パケットネットワーク接続に関連する直近のセル識別子とは異なる場合、前記パケットネットワーク接続を再アクティブ化する要求を開始する継続モジュールと、
を備える、ワイヤレス通信のための装置。
［５４］  アイドル状態から前記現在のサービングセルへのハンドオーバまたはアクティブリンクを検出するモビリティモジュールをさらに備え、
非アクティブ化するための前記コマンドを受信することは、アイドル状態からの前記ハンドオーバまたは前記アクティブリンクに少なくとも部分的に起因する、
［５３］記載の装置。
［５５］  前記接続モジュールは、明示的再アクティブ化コマンドを受信し、前記明示的再アクティブ化コマンドに応答して前記継続モジュールをトリガする、［５３］記載の装置。
［５６］  前記継続モジュールは、前記現在のサービングセルが前記ＳＩＰＴＯゲートウェイのサービス範囲外にあると決定する、［５３］記載の装置。
［５７］  ワイヤレスネットワークを介してデータネットワーク接続を確立するための手段と、
前記データネットワーク接続を非アクティブ化する要求を受信するための手段と、
現在のサービングセルのセル識別子が、前記データネットワーク接続に関連する直近のセル識別子とは異なる場合、前記データネットワーク接続を再アクティブ化する要求を開始するための手段と、
を備えるワイヤレス通信のための装置。
［５８］  ワイヤレスネットワークを介してデータネットワーク接続を確立する第１のモジュールと、
前記データネットワーク接続を非アクティブ化する要求を受信する第２のモジュールと、
現在のサービングセルのセル識別子が前記データネットワーク接続に関連する直近のセル識別子とは異なる場合、前記データネットワーク接続を再アクティブ化する要求を開始する第３のモジュールと、
を備える、ワイヤレス通信のために構成された少なくとも１つのプロセッサ。
［５９］  コンピュータに、ワイヤレスネットワークを介してデータネットワーク接続を確立させる第１のコードセットと、
前記コンピュータに、前記ワイヤレスネットワークのエンティティから受信した前記データネットワーク接続を非アクティブ化する要求を復号させる第２のコードセットと、
前記コンピュータに、現在のサービングセルのセル識別子が前記データネットワーク接続に関連する直近のセル識別子とは異なる場合、前記データネットワーク接続を再アクティブ化する要求を開始させる第３のコードセットと、
を備えるコンピュータ可読媒体を備えるコンピュータプログラム製品。
【図１】
0005985559.tif 000002
【図２】
0005985559.tif 000003
【図３】
0005985559.tif 000004
【図４】
0005985559.tif 000005
【図５】
0005985559.tif 000006
【図６】
0005985559.tif 000007
【図７】
0005985559.tif 000008
【図８】
0005985559.tif 000009
【図８Ａ】
0005985559.tif 000010
【図９】
0005985559.tif 000011
【図１０】
0005985559.tif 000012
【図１１】
0005985559.tif 000013
【図１２】
0005985559.tif 000014
【図１３】
0005985559.tif 000015
【図１４】
0005985559.tif 000016
【図１５】
0005985559.tif 000017
【図１６】
0005985559.tif 000018